(57)【特許請求の範囲】
【請求項１】
基地局と専用チャンネル（ＤＣＨ）を介して通信を行なっている移動局を含んでいる移動通信システムにおいて、前記基地局によって送信されたダウンリンク共有チャンネル（ＤＳＣＨ）に対するＴＦＣＩフィールドの送信電力を制御する方法であって、
前記基地局から前記ＤＳＣＨに対する前記ＴＦＣＩフィールドを前記移動局が受信する段階と、
前記基地局が主基地局か否かを前記移動局が判断する段階と、
前記判断する段階の結果に基づいて、前記ＤＣＨに関して使用される電力のオフセットを使用して、前記ＤＳＣＨに対する前記ＴＦＣＩフィールドの送信電力を前記基地局が制御する段階と、
を包含し、前記ＤＳＣＨに対する前記ＴＳＣＩフィールドが、前記ＤＣＨを介して前記基地局によって送信される、ダウンリンク共有チャンネルに対するＴＦＣＩフィールドの送信電力制御方法。
【請求項２】
前記ダウンリンク共有チャンネル（ＤＳＣＨ）に対する前記ＴＦＣＩフィールドは、前記専用チャンネル（ＤＣＨ）のコードワードと異なるコードワードで記述されている、請求項１記載の方法。
【請求項３】
前記専用チャンネル（ＤＣＨ）は、物理的データチャンネル（ＤＰＤＣＨ）と、物理的制御チャンネル（ＤＰＣＣＨ）とを含んでいる、請求項１記載の方法。
【請求項４】
前記ＴＦＣＩフィールドは、前記物理的制御チャンネル（ＤＰＣＣＨ）を介して受信される、請求項３記載の方法。
【請求項５】
前記主基地局は、ＳＳＤＴモードで動作しているかによって決定される、請求項１記載の方法。
【請求項６】
前記ＴＦＣＩフィールドを送信する前記基地局は、前記ＴＦＣＩフィールドを送信する主基地局でない基地局よりも電力オフセットが大きい、請求項１記載の方法。
【発明の詳細な説明】
【０００１】
【発明の属する技術分野】
本発明は移動通信システムの電力制御方法に関し、特にハンドオーバー状況、無線リンクの個数及びＴＦＣＩ２を送る基地局の個数によってダウンリンク共有チャンネルに対するＴＦＣＩを利用して電力制御を遂行するための方法に関する。
【０００２】
【従来の技術】
図１は従来の同一制御局（ＲＮＣ）内の基地局の間ソフトハンドオーバー（Ｉｎｔｒａ  ＲＮＳ、Ｉｎｔｅｒ  Ｎｏｄｅ  Ｂ  Ｓｏｆｔ−ｈａｎｄｏｖｅｒ）時に無線接続網の構造を示した図面である。図１によれば、核心網（１０１）下部のＵＭＴＳ無線接続網（１０２）に存在するサービング制御局（ＳＲＮＣ：Ｓｅｒｖｉｎｇ  ＲＮＣ、１０６）はサービング無線網サブシステム（ＳＲＮＳ：Ｓｅｒｖｉｎｇ  Ｒａｄｉｏ  Ｎｅｔｗｏｒｋ  Ｓｕｂｓｙｓｔｅｍ、１０４）内で各移動局（ＵＥ、１１０）に割り当てられた専用無線資源を管理する。この時、移動局（１１０）がサービング制御局（１０６）内の一つの基地局（Ｎｏｄｅ  Ｂ、１０８）で他の基地局（Ｎｏｄｅ  Ｂ、１０９）に移動する場合、こつの基地局（１０８、１０９）は前記移動局（１１０）から受信された信号を各々復調して、復調されたフレームをサービング制御局（１０６）に送る。そこでは、前記サービング制御局（１０６）は送信受けたフレームの中で最上のフレームを選択することができる。このように、前記移動局（１１０）は移動中に同時に二つの基地局（１０８、１０９）と通信して通話チャンネルを持続的に維持することができる。ここで、前記サービング制御局（１０６）及び前記基地局など（１０８、１０９）は、前記サービング無線網サブシステム（１０４）に含まれる。
【０００３】
図２は、従来お互いに違う制御局の間のソフトハンドオーバー時の無線接続網の構造を示した図面である。図２によれば、ＵＭＴＳ無線接続網（１０２）にはサービング制御局（ＳＲＮＣ、１０６）及び目的地制御局（ＤＲＮＣ  、１１４）が各々複数個の基地局（１０８、１０９、１１６、１１８）を制御する無線環境下で、移動局（１１０）がソフトハンドオーバー（ｓｏｆｔ−ｈａｎｄｏｖｅｒ）の時の二つの制御局（１０６、１１４）に存在する各々の基地局（１０９、１１６）と同時に通話チャンネルを維持する。ここで、前記サービング制御局（１０６）は各移動局に割り当てられた専用無線資源を管理して、前記目的地制御局（ＤＲＮＣ、１１４）は前記移動局（１１０）がサービング制御局（１０６）の管理領域範囲を脱して自分の領域に移動する場合、前記移動局（１１０）に無線資源を提供する。前記サービング制御局（１０６）及び前記目的地制御局（１１４）は各々サービング無線網サブシステム（ＳＲＮＳ、１０４）及び目的地無線網サブシステム（ＤＲＮＳ、１１２）内に存在する。
【０００４】
上述したように、各制御局（１０６、１１４）の下位には複数個の基地局が存在して、ソフトハンドオーバーの時の移動局（１１０）はこのような二つの制御局に属した各々の基地局と同時に送信を維持する。この時、各場合において、時々基地局の中で一つから新しい基地局でハンドオーバーが成り立っても、前記移動局は二つの他のセルの最小限２個の基地局と常に通信を遂行する。
【０００５】
３ＧＰＰシステムではバーストデータ型（ｂｕｒｓｔ  ｄａｔａ  ｔｙｐｅ）の  送信のためのチャンネルとしてダウンリンク共有チャンネル（ＤＳＣＨ：Ｄｏｗｎｌｉｎｋ  Ｓｈａｒｅｄ  ＣＨａｎｎｅｌ）を持っている。
【０００６】
図３はダウンリンク共有チャンネルの構成を示す図面である。図３で、ダウンリンク共有チャンネルは１０ｍｓの無線フレーム（ｒａｄｉｏ  ｆｒａｍｅ）で構成されて、各フレーム毎にお互いに違う使用者が共有して使うことがある。これは多数の使用者がダウンリンク共有チャンネルのためのチャンネルコード（ｃｈａｎｎｅｌｉｚａｔｉｏｎ  ｃｏｄｅ）の割り当てを受けることが可能である。一方、ダウンリンク共有チャンネルが多数の使用者によって共有されてからではあるが、特定瞬間において一定のデータ送信率を持ったコードは一人の使用者によってだけ使われることができる。よって、特定移動局が占有するダウンリンク共有チャンネルはそのチャンネルを占有した移動局によって電力制御が成り立つ。
【０００７】
一般的にダウンリンク共有チャンネルは必ず専用チャンネル（ＤＣＨ：Ｄｅｄｉｃａｔｅｄ  ＣＨａｎｎｅｌ）と連係されて動作することができる。すなわち、ダウンリンク共有チャンネルを占有した移動局は必ず専用チャンネルを持っている。一般的な電力制御によれば、移動局は基地局から送信された専用チャンネルの電力を測定して、今後送信電力制御（ＴＰＣ：Ｔｒａｎｓｍｉｔ  Ｐｏｗｅｒ  Ｃｏｎｔｒｏｌ）命令を生成して前記基地局で送る。それによって、前記基地局は前記送信電力制御命令を土台に専用チャンネルの電力を更新する。また、前記基地局は前記更新された専用チャンネル電力を利用してダウンリンク共有チャンネルの電力を更新することができる。このようにダウンリンク共有チャンネルと一緒に動作する専用チャンネルを、連関された専用チャンネル（ａｓｓｏｃｉａｔｅｄ  ＤＣＨ）と呼ぶ。
【０００８】
図４は専用チャンネルの構成を示す図面である。  図４によれば、専用チャンネルはフレーム周期（Ｔf）が１０ｍｓの無線フレームで構成されて、一つの無線フレーム毎に１５個のスロット（Ｓｌｏｔ＃０〜Ｓｌｏｔ＃１４）が含まれる。ここで、一つのスロット長さ（Ｔslot）は２５６０  チップ（ｃｈｉｐｓ）である。また、前記専用チャンネルは物理的データチャンネル（ＤＰＤＣＨ：Ｄｅｄｉｃａｔｅｄ  Ｐｈｙｓｉｃａｌ  Ｄａｔａ  ＣＨａｎｎｅｌ）及び物理的制御チャンネル（ＤＰＣＣＨ：Ｄｅｄｉｃａｔｅｄ  Ｐｈｙｓｉｃａｌ  Ｃｏｎｔｒｏｌ  ＣＨａｎｎｅｌ）などが相互に介入されている。ここで、前記物理的制御チャンネルはＴＰＣ（ＮTPC  ビット）フィールド、ＴＦＣＩ（ＮTFCIビット）フィールド、パイロット（Ｐｉｌｏｔ）フィールドを含むことができる。ここで、ＴＦＣＩフィールドは現在送信中であるチャンネルに対する情報が入っている。例えば、ＴＦＣＩフィールドには現在無線フレームに送信されるデータの量及びコーディング方法などに対する情報を送信することができる。
【０００９】
専用チャンネル及びダウンリンク共有チャンネルを通じて一つの使用者を対象でその使用者のデータが同時に送信される場合、前記ＴＦＣＩフィールドによって専用チャンネルに対するＴＦＣＩ情報（以下、ＴＦＣＩ１と言う）及びダウンリンク共有チャンネルに対するＴＦＣＩ情報（ＴＦＣＩ２と呼ぶ）を同時に送信することができる。このために、前記ＴＦＣＩフィールドは一つのスロット当たり送信されるＴＦＣＩフィールドに含まれるビットを２個に分けて、一方の片はＴＦＣＩ１のために使われて残り片はＴＦＣＩ２のために使うことができる。
【００１０】
前記ＴＦＣＩ１及び前記ＴＦＣＩ２を送るための方法としては二つ存在する。すなわち、１番目の方法はＴＦＣＩ１及びＴＦＣＩ２が一つのコーディング（ｓｅｃｏｎｄ  ｏｒｄｅｒ  Ｒｅｅｄ  Ｍｕｌｌｅｒ  ｃｏｄｉｎｇ）を土台に一つのコードワード（ｃｏｄｅ  ｗｏｒｄ）が形成されて送信される場合である。これをロジックスプリットモード（Ｌｏｇｉｃａｌ  ＳＰｌｉｔ  Ｍｏｄｅ）と呼ぶ。２番目の方法はＴＦＣＩ１及びＴＦＣＩ２が各々のコーディング（ｆｉｒｓｔ  ｏｒｄｅｒ  Ｒｅｅｄ  Ｍｕｌｌｅｒ  ｃｏｄｉｎｇ）を通じて各々異なるコードワードが形成されて、これにより形成された二つのコードワードのビットなどが混合して送信される場合である。これをハードスプリットモード（Ｈａｒｄ  ＳＰｌｉｔ  Ｍｏｄｅ）と呼ぶ。ここで、前記２番目の方法は専用チャンネルがお互いに相異なる制御局（ＲＮＣ）で基地局によって各々送信される場合、ＴＦＣＩ２を送るために使われる。この場合、ＴＦＣＩ２は全体無線リンクの中で一部ばかりを送信することができる。すなわち、ダウンリンク共有チャンネルを送る制御局と相異なる制御局ではＴＦＣＩ２が送信されない。よって、ハードスプリットモードである場合に前記ＴＦＣＩ１及びＴＦＣＩ２での電力制御を違うようにしようという提案が出たが、その中一つの方法がダウンリンク共有チャンネルの電力制御方法を利用する。
【００１１】
一般的に専用チャンネルはソフトハンドオーバーを支援するのに対して、ダウンリンク共有チャンネルはソフトハンドオーバーを支援しない。よって、専用チャンネルがソフトハンドオーバー状況にあり、ダウンリンク共有チャンネルが一つの基地局でばかり送信される場合には両者に対してお互いに違う電力制御が必要になる。すなわち、専用チャンネルは多数の基地局から来る電力を合わせてＴＰＣ命令を生成するが、ダウンリンク共有チャンネルは一つの基地局から送信されるのでＴＰＣ命令による電力制御を通じてダウンリンク共有チャンネルの電力制御を遂行することができない。このような理由として、ダウンリンク共有チャンネルでは従来の電力制御とは相異なる電力制御方法が適用されなければならない。
【００１２】
このようなダウンリンク共有チャンネルの電力制御の方法には次のような二つの方法があり得る。すなわち、１番目の方法はＳＳＤＴをアップリンク（ｕｐｌｉｎｋ）でばかり動作させる。移動局がソフトハンドオーバーされる場合、前記移動局はＳＳＤＴを利用して各基地局の電力を測定して一番大きい受信電力を持つ基地局を主（ｐｒｉｍａｒｙ）基地局で選択した後、これを基地局に物理的シグナリングを通じて送る。この時、基地局など各々は、自分が主基地局に設定される場合には持続的に情報を送るが、主基地局ではない（ｎｏｎ−ｐｒｉｍａｒｙ）基地局などは送信を中断する。ここで、アップリンクでばかり動作させるということは主基地局を選択する信号はアップリンク上に送信されるが、ダウンリンク上での電力のＯＮ／ＯＦＦは動作しないことを意味する。
【００１３】
この時、ダウンリンク共有チャンネルの電力制御は二つのモードで動作することができる。現在ダウンリンク共有チャンネルが送信される基地局が主基地局である場合には基準電力に比べて一定程度もっと高い電力に送信されて、これは専用チャンネルによって生成されたＴＰＣ命令に従って電力を可変することができる。一方、ダウンリンク共有チャンネルを送る基地局が主基地局ではない場合にはもっと高い電力オフセット（Ｐｏｗｅｒ  Ｏｆｆｓｅｔ）が割り当てされることができる。このような電力オフセット値はセルのすべての領域で受信されることができる程度に高く設定されることができる。
【００１４】
２番目の方法は移動局によって専用チャンネルに対するＴＰＣ命令及びダウンリンク共有チャンネルに対するＴＰＣ命令が各々生成されて基地局に送信される方法である。しかし、２番目の方法では移動局が専用チャンネルに対する電力だけではなく、ダウンリンク共有チャンネルに対する電力を測定しなければならない問題点がある。
【００１５】
以下、ダウンリンクの電力制御の過程をより詳細に説明する。まず、移動局は専用チャンネルの信号対干渉比（ＳＩＲ：Ｓｉｇｎａｌ  ｔｏ  Ｉｎｔｅｒｆｅｒｅｎｃｅ  Ｒａｔｉｏ）を測定して、測定された信号対干渉比（ＳＩＲｅｓｔ）を目標信号対干渉比（ＳＩＲｔａｒｇｅｔ）と比べる。前記測定された信号対干渉比（ＳＩＲｅｓｔ）が目標信号対干渉比（ＳＩＲｔａｒｇｅｔ）より大きい場合（ＳＩＲｅｓｔ  ＞ＳＩＲｔａｒｇｅｔ）、前記移動局は「０」のＴＰＣ命令を基地局で送る。一方、前記測定された信号対干渉比（ＳＩＲｅｓｔ）が目標信号対干渉比（ＳＩＲｔａｒｇｅｔ）より小さな場合（ＳＩＲｅｓｔ＜ＳＩＲｔａｒｇｅｔ）、前記移動局によって「１」のＴＰＣ命令が送信されることができる。それでは、前記基地局は前記受信されたＴＰＣ命令を土台に次のように専用チャンネルの電力を調整する。
【００１６】
Ｐ（ｋ）＝Ｐ（ｋ−１）＋ＰTPC（ｋ）            ＜式１＞
すなわち、現在の専用チャンネルの電力Ｐ（ｋ）は以前の電力Ｐ（ｋ−１）でＴＰＣ命令によって調整された電力ＰTPC（ｋ）を加減させる。  すなわち、ＴＰＣｅｓｔ（ｋ）＝１である場合  ＰTPC（ｋ）＝＋ΔＴＰＣであり、ＴＰＣｅｓｔ（ｋ）＝０である場合ＰTPC（ｋ）＝−ΔＴＰＣである。測定されたＳＩＲｅｓｔが目標ＳＩＲｔａｒｇｅｔより小さな場合には専用チャンネルの電力を＋ΔＴＰＣ位増加させるが、測定されたＳＩＲｅｓｔが目標ＳＩＲｔａｒｇｅｔより大きい場合には専用チャンネルの電力を＋ΔＴＰＣ位減少させる。
【００１７】
前記現在の専用チャンネルの電力Ｐ（ｋ）を土台に物理的制御チャンネルのＴＦＣＩフィールドの電力ＰTFCI（ｋ）は次の式で表現されることができる。
【００１８】
ＰTFCI（ｋ）＝Ｐ（ｋ）＋ＰＯ１                    ＜式２＞
ここで、ＰＯ１は物理的データチャンネルとＴＦＣＩフィールドとの電力オフセットを意味する。すなわち、物理的制御チャンネルのＴＦＣＩフィールドの電力は現在の専用チャンネルの電力に電力オフセット（ＰＯ１）を加えた値を持つ。
【００１９】
以下、前記で説明された電力オフセットをシグナリングする方法を説明する。
【００２０】
一般的に通信プロトコルは制御平面（Ｃｏｎｔｒｏｌ  Ｐｌａｎｅ、図５）及び使用者平面（Ｕｓｅｒ  Ｐｌａｎｅ、図６）で分類されることができる。これはシステム全体で制御のための目的の制御シグナリングと実在的な最終使用者データ（ｅｎｄ−ｕｓｅｒ  ｄａｔａ）を区別して送るのが一般的だからである。前記制御平面プロトコルはＵＭＴＳプロトコルの中で無線網で使われるプロトコルとして、図５に示したようにＲＲＣ（Ｒａｄｉｏ  Ｒｅｓｏｕｒｃｅ  Ｃｏｎｔｒｏｌ）、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）、ＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）、ＮＢＡＰ（ＮｏｄｅＢ  Ａｐｐｌｉｃａｔｉｏｎ  Ｐａｒｔ）などがある。
【００２１】
図５によれば、移動局（ＵＥ）と制御局（ＲＮＣ）との間に使われるプロトコルはＲＲＣプロトコルで、基地局（Ｎｏｄｅ  Ｂ）と制御局（ＲＮＣ）との間のｌｕｂインターフェイスに使われるプロトコルはＮＢＡＰ、制御局（ＲＮＣ）と制御局（ＲＮＣ）との間のｌｕｒインターフェイスに使われるプロトコルはＲＮＳＡＰ、制御局（ＲＮＣ）と核心網（ＣＮ）との間のｌｕインターフェイスに使われるプロトコルはＲＡＮＡＰである。このような無線網制御平面プロトコルはクライアント−サーバー環境下に存在する。すなわち、ｌｕインターフェイスではＵＴＲＡＮが無線接続サーバー役目をして、核心網（ＣＮ）が  ＵＴＲＡＮに接続サービスを要請するクライアント（Ｃｌｉｅｎｔ）の役目をする。同様に、ｌｕｂインターフェイスでは基地局がサーバーの役目をし、制御局（ＲＮＣ）がクライアントの役目をし、ｌｕｒインターフェイスでは目的地制御局（ＤＲＮＣ）がサーバーの役目をしてサービング制御局（ＳＲＮＣ）が遠隔基地局などに対する制御サービスを要請するクライアントの役目をする。このようなプロトコルには基地局と制御局（ＲＮＣ）との間、制御局（ＲＮＣ）と制御局（ＲＮＣ）との間及び核心網（ＣＮ）と制御局（ＲＮＣ）との間のすべての区間にわたっている無線接続ベアラー（Ｒａｄｉｏ  Ａｃｃｅｓｓ  Ｂｅａｒｅｒ）の資源に対する多様な制御メッセージが含まれることができる。
【００２２】
一方、使用者平面プロトコルではＵＭＴＳ使用者データフレームを運ぶためのフレームプロトコル（ＦＰ：Ｆｒａｍｅ  Ｐｒｏｔｏｃｏｌ）がある。これも、各々のインターフェイスの間に図６に示されたたようにｌｕｂＦＰ、ｌｕｒＦＰ及びｌｕＵＰ（Ｕｓｅｒ  Ｐｌａｎｅ  Ｐｒｏｔｏｃｏｌ）のようなプロトコルが存在する。このようなフレームプロトコル（ＦＰ）はアップリンク、ダウンリンクデータ送信以外に多くの制御技術を遂行する。このようなフレームプロトコルが提供する制御技術などでは非同期ＣＤＭＡで重要な役割を遂行する時間調整と同期化のような技術がある。またその以外に外部ループ電力制御命令（ｏｕｔｅｒ  ｌｏｏｐ  ｐｏｗｅｒ  ｃｏｎｔｒｏｌ  ｃｏｍｍａｎｄ）を移動局で伝逹することができる。
【００２３】
３ＧＰＰｌｕｒ／ｌｕｂインターフェイスで専用チャンネルのための使用者平面プロトコルで使われる制御フレームの種類は図７のようだ。  図７によれば、制御フレームは外部ループ電力制御、時間調整、ＤＬ同期化、ＵＬ同期化、ダウンリンク共有チャンネルのためのＤＬシグナリング、ＤＬノード同期化、ＵＬノード同期化、ＲＸ時間偏差、無線インターフェイスパラメータアップデート（ＲＡＤＩＯ  ＩＮＴＥＲＦＡＣＥ  ＰＡＲＡＭＥＴＥＲ  ＵＰＤＡＴＥ）、時間アドバンス（ｔｉｍｉｎｇ  ａｄｖａｎｃｅ）などの１０種類が存在して、各々の制御フレームは８ビットコーディング情報によって区別されることができる。前記制御フレームの中で無線インターフェイスパラメータアップデートは図８に示すように、８ビットの連結フレーム数（ＣＦＮ）、５ビットの送信電力制御（ＴＰＣ）電力オフセット、１ビットのダウンリンク電力制御（ＤＰＣ）モード情報のアップデート時に使われている。また、制御フレームフォーマットは全体で４バイトのペイロードで構成される。
【００２４】
一方、使用者平面で制御フレームを使って制御シグナリングを送る場合は制御平面を使ってシグナリングを送る場合よりもっと早く再起動（ｒｅａｃｔ）でき、メッセージの大きさがもっと小さいという長所がある。しかし、使用者平面で制御フレームを使って制御シグナリングを送る場合にはシグナリングが信頼することができずに伝逹する短所がある。普通制御平面（Ｃｏｎｔｒｏｌ  Ｐｌａｎｅ）で伝逹する制御情報は「制御メッセージ」と呼ばれて、使用者平面で伝逹する制御情報は「制御フレーム」と呼ばれる。
【００２５】
図９ａ乃至図９ｄは移動局が新しい制御局に移動する場合にダウンリンク共有チャンネルのハードハンドオーバーまたは連関された専用チャンネルのソフトハンドオーバーによって各基地局と移動局のチャンネル連結状態を示す第１例示図である。すなわち、図９ａはダウンリンク共有チャンネルと連関された専用チャンネルのソフトハンドオーバー発生前で、図９ｂはダウンリンク共有チャンネルと連関された専用チャンネルのソフトハンドオーバー発生及びダウンリンク共有チャンネルハードハンドオーバー発生の前で、図９ｃはダウンリンク共有チャンネルのハードハンドオーバー発生で、図９ｄはダウンリンク共有チャンネルと連関された専用チャンネルのソフトハンドオーバー終了状態を各々示す。
【００２６】
また、図１０ａ及び図１０ｂは、図９ａ及び図９ｂと一緒に移動局（ＵＥ）の移動によって発生される連関された専用チャンネルのソフトハンドオーバーとダウンリンク共有チャンネルのハードハンドオーバー非発生の時の従来のシグナリングプロシージャ（Ｓｉｇｎａｌｌｉｎｇ  Ｐｒｏｃｅｄｕｒｅ）である。
【００２７】
【発明が解決しようとする課題】
よって、前記で説明したように従来のダウンリンク共有チャンネルの電力制御方式をＴＦＣＩ２の電力制御に適用することができる。ＴＦＣＩフィールドは物理的制御チャンネルに含まれたフィールドなので物理的制御チャンネルと等しい電力制御が成り立つ。前記で説明したように、前記ＴＦＣＩフィールドはＴＦＣＩ１及びＴＦＣＩ２に仕分けされることができる。しかし、ダウンリンク共有チャンネルハードスプリットモードの場合、ダウンリンク共有チャンネルのためのＴＦＣＩはすべての基地局で送信されないこともあるのでＴＦＣＩの性能低下が発生する。すなわち、ＴＦＣＩフィールドには現在送信されるフレームのデータビットの数及びコーディング方法などのような情報が含まれて送信されるので、ＴＦＣＩフィールドの受信がまともに成り立たない場合、無線フレームのデータが正しく検出されることができない。言い換えれば、ＴＦＣＩフィールドが正確に受信されることができない場合、ダウンリンク共有チャンネルの拡散因子（Ｓｐｒｅａｄｉｎｇ  Ｆａｃｔｏｒ）やデータ量に対する情報がまともに伝逹しない。
【００２８】
一方、移動局がソフトハンドオーバー状況である場合、電力制御はアクティブセット（Ａｃｔｉｖｅ  Ｓｅｔ）を形成するすべての基地局で送信された電力の合を土台に成り立つ。しかし、ＴＦＣＩ２はすべての基地局で送信されるのではなく、一部の基地局でばかり送信される事は既に前記で十分に説明した通りである。よって、電力制御が成り立つ場合、ＴＦＣＩ２の電力を一定の品質で維持するのは容易ではない。
【００２９】
従来の電力制御の方式では無線リンクセットアップ時にだけ専用物理的チャンネル（ＤＰＣＨ：Ｄｅｄｉｃａｔｅｄ  Ｐｈｙｓｉｃａｌ  ＣＨａｎｎｅｌ）のためのＴＦＣＩフィールドの電力オフセットを設定することができる。設定された電力オフセットを土台に専用物理的チャンネルの電力制御が成り立つことができる。すなわち、無線リンクセットアップ時にだけ専用物理的チャンネルのためのＴＦＣＩフィールドの電力オフセットを変えることができるので、チャンネルの環境や無線リンクを形成する基地局の構成が変わる場合に他の電力を割り当てることができない。
【００３０】
また、従来方式によれば、ＴＦＣＩフィールドの品質を維持するためにＴＦＣＩフィールドに高い電力オフセットを割り当てることはできるものの、これはＴＦＣＩフィールドの電力を調整するのではなくただ固定させることであるため、電力が過消費され得る。
【００３１】
前記に説明したように、従来のシグナリングプロシージャではダウンリンク共有チャンネルハードスプリットモードでのＴＦＣＩに対する電力制御を別に遂行しないで、ＴＦＣＩに対する電力オフセットが移動局の移動やＴＦＣＩ２を送る無線リンクの数にかかわらず、常に無線リンクを初めてセットアップする時、制御平面のＮＢＡＰ及びＲＮＳＡＰメッセージで知らせるＴＦＣＩ電力オフセットを使った。
【００３２】
よって、前記と一緒にダウンリンク共有チャンネルハードスプリットモードでのＴＦＣＩに対する電力制御を別に遂行してくれるための提案が出されるようになったが、まだ３ＧＰＰ無線接続網（ＲＡＮ）インターフェイス規格で実在的にこれができるようにする方法が提供されていないのが実情である。
【００３３】
また、このようなダウンリンク共有チャンネルハードスプリットモードでのＴＦＣＩ電力制御のためには基地局（Ｎｏｄｅ  Ｂ）と制御局（ＲＮＣ）との間及び制御局（ＲＮＣ）と制御局（ＲＮＣ）との間に前記のような制御メッセージを伝逹する方法が必要である。しかし、現在までこのようなダウンリンク共有チャンネルハードスプリットモードでのＴＦＣＩに対する電力制御命令をどんな方式で伝逹するかどうかに対しては定義されなかったし、それによる具体的な動作プロシージャも定義されていなかった。これに従って従来の技術ではダウンリンク共有チャンネルハードスプリットモードでのＴＦＣＩに対する電力制御を遂行する３ＧＰＰ非同期システム及び端末機を製造するのに多くの混乱を引き起こし得る。
【００３４】
本発明は前記のような問題点を解決するために、追加的な制御信号を加えることで、ダウンリンク共有チャンネルに対する制御情報の信頼性を増加させるための方法を提供することをその目的とする。
【００３５】
本発明は追加的な制御信号を利用することができない場合、ダウンリンク共有チャンネルに対する制御情報の送信電力を制御するための方法を提供することを他の目的とする。
【００３６】
本発明はハンドオーバー状況、無線リンクの個数及びＴＦＣＩ２を送る基地局の個数によってダウンリンク共有チャンネルに対するＴＦＣＩを利用して電力制御を遂行するための方法を提供することを他の目的とする。
【００３７】
同時に、本発明は電力制御方法によって設定された電力オフセットを制御平面または使用者平面に行かせるためのシグナリング方法を提供することを他の目的とする。
【００３８】
【課題を解決するための手段】
本発明のダウンリンク共有チャンネルに対する制御情報送信方法は、第１基地局がどれか一つの通信チャンネルを通じて複数の移動局にデータを送って、最小限一つの制御チャンネルを通じて前記通信チャンネルに対する制御情報を送る無線通信システムにおいて、前記複数の移動局の中のどれか一つが第２基地局と交信をして、前記第２基地局が自分のダウンリンク共有チャンネルを通じて複数の移動局にデータを送って、制御チャンネルを通じて前記自分のダウンリンク共有チャンネルに対する制御情報を送る基地局である場合、前記第２基地局は前記移動局に前記第１基地局の前記ダウンリンク共有チャンネルに対する制御情報を送ることを特徴とする。
【００３９】
本発明のダウンリンク共有チャンネルに対する制御情報送信方法は、前記第１基地局のダウンリンク共有チャンネルに対する制御情報が第１基地局から第２基地局まで伝逹することを特徴としてもよい。
【００４０】
本発明のダウンリンク共有チャンネルに対する制御情報送信方法は、前記制御情報の伝逹は前記第１基地局を制御する第１制御局と前記第２基地局を制御する第２制御局との間で遂行されることを特徴としてもよい。
【００４１】
本発明のダウンリンク共有チャンネルに対する制御情報送信方法は、前記第１制御局は使用者平面の制御フレームを利用して前記第２制御局で前記制御情報を伝逹することを特徴としてもよい。
【００４２】
本発明のダウンリンク共有チャンネルに対する制御情報送信方法は、前記第１制御局は使用者平面の制御フレームを利用して前記第１基地局で前記制御情報を伝逹することを特徴としてもよい。
【００４３】
本発明のダウンリンク共有チャンネルに対する制御情報送信方法は、前記第１制御局は前記制御平面の制御メッセージを利用して前記第２制御局で前記制御情報を伝逹することを特徴としてもよい。
【００４４】
本発明のダウンリンク共有チャンネルに対する制御情報送信方法は、前記第１制御局は前記制御平面の制御メッセージを利用して前記第１基地局で前記制御情報を伝逹することを特徴としてもよい。
【００４５】
本発明のダウンリンク共有チャンネルに対する制御情報送信方法は、前記第１基地局が主基地局である場合、前記移動局のＳＳＤＴモードが動作するか否かによって前記制御情報が含まれたチャンネルの送信電力が相異なることを特徴としてもよい。
【００４６】
本発明のダウンリンク共有チャンネルに対する制御情報送信方法は、前記移動局でＳＳＤＴモードが動作されない場合、前記第１基地局は主ではない基地局に設定されることを特徴としてもよい。
【００４７】
本発明のダウンリンク共有チャンネルに対する制御情報送信方法は、前記第１基地局が主ではない基地局に設定される場合、前記制御情報が含まれたチャンネルの送信電力を一定量程度高めて送ることを特徴ととしてもよい。
【００４８】
本発明のダウンリンク共有チャンネルに対する制御情報送信方法は、前記第１基地局の前記通信チャンネルの送信電力から生成された送信電力制御命令を土台に前記制御情報が含まれたチャンネルの送信電力が調整されることを特徴としてもよい。
【００４９】
本発明のダウンリンク共有チャンネルに対する制御情報送信方法は、第１基地局がどれか一つの通信チャンネルを通じて複数の移動局にデータを送って、最小限一つの制御チャンネルを通じて前記通信チャンネルに対する制御情報を送る無線通信システムにおいて、前記複数の移動局の中でどれか一つが第２基地局と交信をして、前記第２基地局が前記移動局に前記第１基地局のダウンリンク共有チャンネルの制御情報を送らない場合、前記第１基地局が送る制御情報を含むチャンネルの送信電力を増加させることを特徴としてもよい。
【００５０】
本発明のダウンリンク共有チャンネルに対する制御情報送信方法は、前記送信電力の増加程度は予め設定されることを特徴とする、請求項１２記載のダウンリンク共有チャンネルに対する制御情報送信方法。
【００５１】
本発明のダウンリンク共有チャンネルに対する制御情報送信方法は、前記第２基地局がハンドオーバーの対象である活性基地局中の一つの場合、前記送信電力の高める事は制御情報を送らない活性基地局の個数と全体活性基地局の個数の比によることを特徴としてもよい。
【００５２】
本発明のダウンリンク共有チャンネルに対する制御情報送信方法は、第１基地局から第２基地局まで制御情報を伝逹することを特徴としてもよい。
【００５３】
本発明のダウンリンク共有チャンネルに対する制御情報送信方法は、前記制御情報の伝逹は前記第１基地局を制御する第１制御局と前記第２基地局を制御する第２制御局との間で遂行されることを特徴としてもよい。
【００５４】
本発明のダウンリンク共有チャンネルに対する制御情報送信方法は、前記第１制御局は前記制御情報を送信するか否かを判断して、前記第１基地局に制御情報を提供することを特徴としてもよい。
【００５５】
本発明のダウンリンク共有チャンネルに対する制御情報送信方法は、前記第２基地局がハンドオーバーの対象である活性基地局中の一つの場合、前記複数の移動局の中でどれか一つが第３基地局と前記制御チャンネルを通じて交信をして、前記第３基地局が前記移動局に前記第１基地局の前記通信チャンネルに対する制御情報を送る場合、前記第３基地局が送る前記制御情報が含まれたチャンネルの送信電力を一定量程度高めて送ることを特徴してもよい。
【００５６】
本発明のダウンリンク共有チャンネルに対する制御情報送信方法は、前記送信電力高める事は制御情報を送る基地局の個数と全体活性基地局の個数との比によることを特徴としてもよい。
【００５７】
本発明のダウンリンク共有チャンネルに対するＴＦＣＩフィールドの電力制御方法は、複数の基地局を各々管理するサービング制御局及び目的地制御局を含む移動通信システムでダウンリンク共有チャンネル及び連関された専用チャンネルがソフトハンドオーバー状況である場合、ダウンリンク共有チャンネルのためのＴＦＣＩフィールドの電力を制御する方法において、ダウンリンク共有チャンネルを送る基地局が主基地局なのか否かによって、ＴＦＣＩ２を送る基地局の個数を判断する段階と、ここで、前記ＴＦＣＩ２はダウンリンク共有チャンネルのための情報を示し、判断結果によってお互いに相異なる電力オフセットを設定する段階と、前記設定された電力オフセットを利用してＴＦＣＩ２を送る段階とを含んで成り立つことを特徴とする。
【００５８】
本発明のダウンリンク共有チャンネルに対するＴＦＣＩフィールドの電力制御方法は、ダウンリンク共有チャンネルを送る基地局が主基地局である場合、前記移動局でＳＳＤＴモードが動作するか否かによって相異なる電力制御が成り立つことを特徴としてもよい。
【００５９】
本発明のダウンリンク共有チャンネルに対するＴＦＣＩフィールドの電力制御方法は、前記移動局でＳＳＤＴモードが動作される場合、前記ＴＦＣＩフィールドの電力は前記専用チャンネルの専用物理的制御チャンネルに含まれた他のフィールドと等しいことを特徴としてもよい。
【００６０】
本発明のダウンリンク共有チャンネルに対するＴＦＣＩフィールドの電力制御方法は、前記ダウンリンク共有チャンネルを送る基地局が主ではない（ｎｏｎ−ｐｒｉｍａｒｙ）基地局である場合、前記ＴＦＣＩフィールドの電力は予め設定されることを特徴としてもよい。
【００６１】
本発明のダウンリンク共有チャンネルに対するＴＦＣＩフィールドの電力制御方法は、前記移動局でＳＳＤＴ  モードが動作されない場合、  前記ＴＦＣＩフィールドの電力は予め設定された電力に送信される主基地局にかかわらず主ではない基地局に設定されることを特徴してもよい。
【００６２】
本発明のダウンリンク共有チャンネルに対するＴＦＣＩフィールドの電力制御方法は、ダウンリンク共有チャンネルを送る基地局が主基地局なのか否かによって設定された電力オフセット（ＴＦＣＩＰＯ  、ＴＦＣＩＰＯ＿ｐｒｉｍａｒｙ）が使用者平面の制御フレームに加えられることを特徴としてもよい。
【００６３】
本発明のダウンリンク共有チャンネルに対するＴＦＣＩフィールドの電力制御方法は、前記電力オフセットが存在するか否かは前記使用者平面の制御フレームの無線インターフェイスパラメータアップデートフラグによって表示されることを特徴としてもよい。
【００６４】
本発明のダウンリンク共有チャンネルに対するＴＦＣＩフィールドの電力制御方法は、ダウンリンク共有チャンネルを送る基地局が主基地局なのか否かによって設定された電力オフセット（ＴＦＣＩＰＯ、ＴＦＣＩＰＯ＿ｐｒｉｍａｒｙ）が制御平面の制御メッセージに加えられることを特徴としてもよい。
【００６５】
本発明のダウンリンク共有チャンネルに対するＴＦＣＩフィールドの電力制御方法は、アクティブセット内の複数の基地局から前記ＴＦＣＩ２が送信される場合、全体基地局の個数に対する前記ＴＦＣＩ２を送る基地局の個数の比によって相異なるように割り当てられた電力オフセットを土台に電力が制御されることを特徴としてもよい。
【００６６】
本発明のダウンリンク共有チャンネルに対するＴＦＣＩフィールドの電力制御方法は、ＴＦＣＩ２を送る基地局が主基地局か否かによって設定された電力オフセット（ＴＦＣＩＰＯ＿ｐｒｉｍａｒｙ、ＴＦＣＩＰＯ＿ｎｏｎ＿ｐｒｉｍａｒｙ）が使用者平面の制御フレームに加えられることを特徴としてもよい。
【００６７】
本発明のダウンリンク共有チャンネルに対するＴＦＣＩフィールドの電力制御方法は、前記電力オフセットが存在するか否かは、前記使用者平面の制御フレームの無線インターフェイスパラメータアップデートフラグによって表示されることを特徴としてもよい。
【００６８】
本発明のダウンリンク共有チャンネルに対するＴＦＣＩフィールドの電力制御方法は、移動通信システムで連関された専用チャンネルがソフトハンドオーバー状況である場合にダウンリンク共有チャンネルに対するＴＦＣＩフィールドの電力を制御する方法において、ダウンリンク共有チャンネルを送る基地局が主基地局か否かを判断する段階と、ダウンリンク共有チャンネルを送る基地局が主基地局か否か及びＳＳＤＴモードが動作するか否かによって相異なるように電力制御を遂行する段階とを含んで成り立つことを特徴とする。
【００６９】
前記の目的を果たすための本発明の望ましい一つの実施例によれば、第１基地局が一つの通信チャンネルを通じて複数の移動局にデータを送って、最小限一つの制御チャンネルを通じて前記通信チャンネルの制御情報を送る移動通信システムで、前記複数の移動局の中でどれか一つが第２基地局と交信をして、前記第２基地局が自分のダウンリンク共有チャンネルを通じて複数の移動局にデータを送って、制御チャンネルを通じて前記自分のダウンリンク共有チャンネルに対する制御情報を送る基地局である場合、前記第２基地局は前記移動局に前記第１基地局の前記ダウンリンク共有チャンネルに対する制御情報を送る方法が提供される。
【００７０】
前記方法によれば、前記第１基地局で前記第２基地局で制御情報を伝逹して、前記制御情報の伝逹は前記第１基地局を制御する第１制御局と前記第２基地局を制御する第２制御局との間で遂行されることができる。ここで、前記第１制御局は使用者平面の制御フレームまたは制御平面の制御メッセージを利用して制御情報を送ることができる。
【００７１】
本発明の望ましい他の一つの実施例によれば、第１基地局が一つの通信チャンネルを通じて複数の移動局でデータを送って、最小限一つの制御チャンネルを通じて前記通信チャンネルの制御情報を送る移動通信システムで、前記複数の移動局の中でどれか一つが第２基地局と交信をして、前記第２基地局が前記移動局に前記第１基地局のダウンリンク共有チャンネルの制御情報を送らない場合、前記第１基地局が送る制御情報を含むチャンネルの送信電力を増加させる方法が提供される。
【００７２】
前記方法によれば、前記第２基地局がハンドオーバーの対象である活性基地局中の一つの場合、前記送信電力の増加は制御情報を送らない活性基地局の個数と全体活性基地局の個数との比によることができる。
【００７３】
前記方法によれば、前記第１制御局は前記制御情報が送信するか否かを判断して、前記第１基地局に制御情報を提供することができる。
【００７４】
前記方法によれば、前記第２基地局がハンドオーバーの対象である活性基地局中の一つの場合、前記複数の移動局の中でどれか一つが第３基地局と前記制御チャンネルを通じて交信をして、前記第３基地局が前記移動局に前記第１基地局の前記通信チャンネルに対する制御情報を送る場合前記第３基地局が送る前記制御情報が含まれたチャンネルの送信電力を一定量程度高めて送ることができる。
【００７５】
【発明の実施の形態】
以下、添付した図面を参照して本発明の望ましい実施例を説明する。
【００７６】
一般的なダウンリンク電力制御は物理的制御チャンネルと物理的データチャンネルの電力を同時に調整して遂行することができる。物理的制御チャンネル及び物理的データチャンネル各々の電力はその強度が等しく調整されて、その相対的な比は変わらない。
【００７７】
しかし、ダウンリンク共有チャンネルと連関されている専用チャンネルがソフトハンドオーバー状況に存在する場合にはこれと相異なる電力制御方式が必要である。すなわち、ＴＦＣＩ２を含むＴＦＣＩフィールドの受信品質を維持するためにＴＦＣＩ２は相異なる電力制御によって遂行される。
【００７８】
ダウンリンク共有チャンネルが送信される基地局ではＴＦＣＩ２が確かに送信されるが、ダウンリンク共有チャンネルが送信されない基地局などではＴＦＣＩ２が送信されるかまたは送信されないこともある。
【００７９】
本発明はハンドオーバー状況、無線リンクの個数及びＴＦＣＩ２を送る基地局の個数によって電力制御を遂行するためのダウンリンク共有チャンネルのためのＴＦＣＩの電力制御方法と、前記方法によって設定された電力オフセットを送るためのシグナリング方法に関する。
【００８０】
先に、本発明では３ＧＰＰシステムのハンドオーバーの時に效果を発揮するダウンリンク共有チャンネルのためのＴＦＣＩフィールドの前力制御方法で二つの方式を考慮することができる。一つはダウンリンク共有チャンネルが送信される基地局でばかりＴＦＣＩ２を送る時を考慮する方式［場合１］で、他の一つはＴＦＣＩ２が複数の基地局で送信される時を考慮する方式［場合２］である。
【００８１】
［場合１］ダウンリンク共有チャンネルが送信される基地局でばかりＴＦＣＩ２を送る場合
前記方式はアクティブセットの構成を考慮しないで、一つの基地局から送信されるＴＦＣＩ２の電力のみを調整するので簡単だが、必要以上の電力を割り当てることができる。
【００８２】
まず、１番目の方法は移動局のハンドオーバーモードか否かによってＴＦＣＩ２の電力を調整する。すなわち、移動局がハンドオーバーモードである場合、一定の高い電力に送信して、そうではない場合ハンドオーバーモードである場合より低い電力に送信する。これは上位階層情報で新しいシグナリングのＴＦＣＩフィールド電力オフセットを設定して、ＴＦＣＩフィールド電力オフセット値を可変させることができる。
【００８３】
２番目の方法は移動局（ＵＥ）が選択するモードによってＴＦＣＩフィールドにお互いに相異なる電力を割り当てる方法である。
図４において、ＴＦＣＩフィールドを除いた残り部分の物理的制御チャンネルと物理的データチャンネルの電力調整は従来の電力制御方式によって遂行されることができる。しかし、ＴＦＣＩフィールドは移動局（ＵＥ）が選択するモードによって相異なる電力制御が適用される。
【００８４】
移動局（ＵＥ）はアップリンクにだけＳＳＤＴを動作させて、各基地局から受信された電力を測定して、その中で電力が最上である基地局を主基地局で設定する。そして、ダウンリンク共有チャンネルが送信される基地局が主基地局に選択される場合、ＴＦＣＩ２の電力制御は物理的制御チャンネルの他のフィールドと等しく成り立つ。もしダウンリンク共有チャンネルが送信される基地局が主基地局ではないなら、基地局から一定の電力を持つＴＦＣＩ２が移動局に送信されることができる。すなわち、ＴＦＣＩ２の電力は次のような式で示すことができる。
【００８５】
１）ダウンリンク共有チャンネルが送信される基地局が主基地局である場合
ＰTFCI（ｋ）＝Ｐ（ｋ）＋ＰＯ１＋Ｐｐ  ＜式３＞
２）ダウンリンク共有チャンネルが送信される基地局が主基地局ではない場合
ＰTFCI（ｋ）＝Ｐｎｐ                  ＜式４＞
ここで、Ｐｐは基準になるＴＦＣＩフィールド電力に比べて高い電力で送るためのパラメータで、Ｐｎｐは基地局が主基地局ではない場合、移動局（ＵＥ）がハンドオーバー状況に存在する時、一定の電力で送るためのパラメータである。また、Ｐ（ｋ）は現在の専用チャンネルの電力であり、ＰＯ１は物理的データチャンネルとＴＦＣＩフィールドとの間の電力オフセットである。前記式３及び前記式４から主基地局である場合に比べて主基地局ではない場合にＴＦＣＩ２の電力がもっと大きい値に送信されることが分かる。
【００８６】
ＳＳＤＴモードが動作しない場合、ＴＦＣＩ２の電力を設定するのにあたって、主基地局有り無しによって電力を割り当てないで、ダウンリンク共有チャンネルを送る基地局を常に主ではない基地局で設定して一定の電力で送ることができる。
【００８７】
１番目の方法と同じで、主セル及び主ではないセルに対する新しいシグナリングであるＴＦＣＩフィールド電力オフセットを設定して、ＴＦＣＩフィールド電力オフセット値を可変させることで、このような場合のＴＦＣＩ２の電力制御が可能である。
【００８８】
一方、ＴＦＣＩ２の電力を設定するのにあって、主基地局であるかあるいは主ではない基地局であるかによって次のように電力を割り当てることもできる。
【００８９】
ダウンリンク共有チャンネルを送る基地局が主基地局である場合、ＴＦＣＩ２の電力は式５と一緒に示すことができる。
【００９０】
ＰTFCI（ｋ）＝Ｐ（ｋ）＋Ｐｐ                    ＜式５＞
また、ダウンリンク共有チャンネルを送る基地局が主基地局ではない場合、ダウンリンク共有チャンネルのためのＴＦＣＩフィールドの電力は式６の一緒に示すことができる。
【００９１】
ＰTFCI（ｋ）＝Ｐ（ｋ）＋Ｐｎｐ                  ＜式６＞
ここで、Ｐｐはダウンリンク共有チャンネルを送る基地局が主基地局である場合の電力オフセットで、Ｐｎｐはダウンリンク共有チャンネルを送る基地局が主基地局ではない場合の電力オフセットである。そして、ダウンリンク共有チャンネルを送る基地局が主基地局ではない場合にＰｎｐ値を高く設定してセル境界近所を考慮した電力で送ることもできる。または、ダウンリンク共有チャンネルのためのＴＦＣＩフィールドで割り当てが可能な電力以上のＰｎｐ値を設定する場合、ＴＦＣＩフィールドは最大電力に送信されることができる。
【００９２】
３番目方法はダウンリンク共有チャンネルと専用チャンネルが各々相異なるＴＰＣ命令によって電力制御になる場合である。移動局（ＵＥ）はＴＦＣＩフィールドを除いた専用チャンネルに対する送信電力制御（ＴＰＣ１）命令とダウンリンク共有チャンネルに対する送信電力制御（ＴＰＣ２）命令を生成する。このために移動局（ＵＥ）は二つの電力を測定する。すなわち、前記移動局はＴＦＣＩフィールドを除いた専用チャンネルの電力とダウンリンク共有チャンネルの電力を各々測定する。まず、前記移動局は専用チャンネルのための送信電力制御命令を生成するために物理的制御チャンネルのパイロット信号を利用して信号対干渉比（ＳＩＲ）を測定する。
【００９３】
一方、ダウンリンク共有チャンネルの電力を測定するために前記移動局はダウンリンク共有チャンネルを利用する。ダウンリンク共有チャンネルを利用する場合、強い電力と連続的に送信されるので信号対干渉比（ＳＩＲ）の測定に容易であるが、ダウンリンク共有チャンネルは送信されないフレームが存在するので、信号対干渉比の測定が容易ではない。しかし、ＴＦＣＩ２は一つのスロットで一部分のみを占めるが、持続的に送信されるのですべてのフレームで信号対干渉比を測定することができる。移動局がダウンリンク共有チャンネルを受信することができない場合にも前記ＴＦＣＩ２を受信して、これから電力を測定することで、ダウンリンク共有チャンネルに対する送信電力制御命令を生成することができる。
【００９４】
ＴＦＣＩフィールドを除いた専用チャンネルの電力は下記の式７の一緒に示すことができる。
【００９５】
Ｐ１（ｋ）＝Ｐ１（ｋ−１）＋ＰTPC1（ｋ）    ＜式７＞
式７からＴＦＣＩフィールドを除いた専用チャンネルの現在の電力Ｐ１（ｋ）は以前の電力Ｐ１（ｋ−１）でＴＰＣ１によって調整された  電力ＰTPC1（ｋ）を加減させることがある。すなわち、ＴＰＣ１ｅｓｔ（ｋ）＝１である場合、ＰTPC1（ｋ）＝＋ΔＴＰＣで、ＴＰＣ１ｅｓｔ（ｋ）＝０である場合、ＰTPC1（ｋ）＝−ΔＴＰＣである。言い換えれば、測定された信号対干渉比（ＳＩＲｅｓｔ）が目標信号対干渉比（ＳＩＲｔａｒｇｅｔ）より小さな場合には、ＴＦＣＩを除いた専用チャンネルの電力を＋ΔＴＰＣ位増加させる。一方、測定された信号対干渉比（ＳＩＲｅｓｔ）が目標信号対干渉比（ＳＩＲｔａｒｇｅｔ）より大きい場合には、ＴＦＣＩを除いた専用チャンネルの電力を＋ΔＴＰＣ位減少させる。
【００９６】
一方、ダウンリンク共有チャンネルの電力は下記の式８の一緒に示すことができる。
【００９７】
Ｐ２（ｋ）＝Ｐ２（ｋ−１）＋ＰTPC2（ｋ）    ＜式８＞
前記式８からダウンリンク共有チャンネルの現在の電力Ｐ２（ｋ）は以前の電力Ｐ２（ｋ−１）でＴＰＣ２によって調整された電力ＰＴＰＣ２（ｋ）を加減させる。すなわち、ＴＰＣ２ｅｓｔ（ｋ）＝１である場合ＰTPC2（ｋ）＝＋ΔＴＰＣで、ＴＰＣ２ｅｓｔ（ｋ）＝０である場合ＰTPC2（ｋ）＝−ΔＴＰＣである。言い換えれば、測定された信号対干渉比（ＳＩＲｅｓｔ）が目標信号対干渉比（ＳＩＲｔａｒｇｅｔ）より小さな場合にはＴＦＣＩ２の電力を＋ΔＴＰＣ位増加させる。一方、測定された信号対干渉比（ＳＩＲｅｓｔ）が目標信号対干渉比（ＳＩＲｔａｒｇｅｔ）より大きい場合にはＴＦＣＩ２の電力を＋ΔＴＰＣ位減少させることができる。
【００９８】
よって、前記ダウンリンク共有チャンネルの電力を土台にＴＦＣＩ２の電力が下記の式９と一緒に算出されることができる。
【００９９】
ＰTFCI（ｋ）＝Ｐ２（ｋ）＋ＰＯ１                ＜式９＞
ここで、ＰＯ１は物理的データチャンネルとＴＦＣＩフィールドとの電力オフセットを意味する。前記式９から示したように、前記ＴＦＣＩ２の電力はダウンリンク共有チャンネルの電力に電力オフセット値を合わせた値に算出される。そして、ＴＦＣＩ２の電力を割り当てる場合において、専用チャンネルをＴＦＣＩフィールドと等しく電力を割り当てるかまたは違うのを割り当てることができる。
【０１００】
しかし、ＴＦＣＩ２とＴＦＣＩ１を違うように電力制御する場合、一つのシンボル（ｓｙｍｂｏｌ）の實数部信号と虚数部信号がお互いに違う電力を持つ場合が発生する。すなわち、図１１に示したように、ＴＦＣＩフィールドとして２ビットが割り当てされる時、このような場合が発生する。しかし、ＴＦＣＩフィールド全体をダウンリンク共有チャンネルの電力（Ｐ２）に調整する場合、前記のような問題点が解決されることができる。すなわち、専用チャンネルに含まれたＴＦＣＩフィールドにはＴＦＣＩ１とＴＦＣＩ２が含まれて、この時二つの情報が一つのシンボルに送信される場合が存在する。このような場合に二つのＴＦＣＩビットを含むＴＦＣＩフィールドをＴＦＣＩ２の電力制御のために生成された送信電力制御（ＴＰＣ２）命令に従って調整することができる。
【０１０１】
一方、送信電力制御命令外に別途の制御信号によってＴＦＣＩ２の電力を調整することができる。移動局から信号対干渉比（ＳＩＲ）の測定値またはＣＲＣ（Ｃｙｃｌｉｃ  Ｒｅｄｕｎｄａｎｃｙ  Ｃｈｅｃｋ）確認が基地局に送信されてダウンリンク共有チャンネルに対する電力制御が成り立つ場合、ダウンリンク共有チャンネルに対する電力制御と連動させて、すなわち、前記式２、３からＴＦＣＩ２の電力制御が遂行されることができる。また、ダウンリンク共有チャンネルを送る基地局の場合、移動局がハンドオーバーにあるか、そうではない時の両方に対して前記上述した１番目の方法と２番目の方法両方を適用することができる。すなわち、移動局がハンドオーバーにあるとかそうではない場合に関係なく、ＴＦＣＩ２を移動局が選択するモードによってお互いに相異なる電力を割り当てる方法と、ダウンリンク共有チャンネルと専用チャンネルから生成された各ＴＰＣ命令に従ってお互いに相異なる電力を割り当てる方法両方に適用することができる。そして、ダウンリンク共有チャンネルを送る基地局が主基地局または主ではない基地局か否かによって電力オフセットをわけて設定することができる。
【０１０２】
［場合２］  ＴＦＣＩ２が複数の基地局で送信される場合
現在アクティブセットでＴＦＣＩ２が送信される基地局の状況によってＴＦＣＩフィールドの電力を調整することができる。しかし、このような場合にはアクティブセットの構成が変わることによって他の設定が必要になる。このために、アクティブセット内の複数の基地局から前記ＴＦＣＩ２が送信される場合、全体基地局の個数に対する前記ＴＦＣＩフィールドを送る基地局の個数の比によって相異なるように割り当てられた電力オフセットによって各ＴＦＣＩフィールドの電力が制御されることができる。ここで、前記電力オフセットの割り当てはダイバーシティー利得（ｄｉｖｅｒｓｉｔｙ  ｇａｉｎ）及び電力制御利得を考慮して成り立つことができる。
【０１０３】
例えば、ＴＦＣＩ１を送る基地局が１０個であり、この時前記１０個の基地局の中でＴＦＣＩ２を送る基地局が３個である時、電力オフセットは従来の電力に７／１０の電力オフセットが加わって、前記１０個の基地局の中でＴＦＣＩ２を送る基地局が５個である時、従来の電力に５／１０の電力オフセットが加わることができる。
【０１０４】
このように、ＴＦＣＩ２を送る基地局の個数が増加する場合、ＴＦＣＩ２の電力オフセットはこれに反比例して減少する。しかし、ＴＦＣＩ２を送る基地局の個数が減少する場合、ＴＦＣＩ２の電力オフセットは増加することができる。前記でＴＦＣＩ２の電力制御のための方法に関して説明した。このような方法は共通にＴＦＣＩ２の電力制御方法の使用するか否かをＮＢＡＰとＲＮＳＡＰプロトコルを通じて伝逹することができる。このために無線リンクセットアップ要求（ＲＡＤＩＯ  ＬＩＮＫ  ＳＥＴＵＰ  ＲＥＱＵＥＳＴ）メッセージと無線リンク再設定準備（ＲＡＤＩＯ  ＬＩＮＫ  ＲＥＣＯＮＦＩＧＵＲＡＴＩＱＮ  ＰＲＥＰＡＲＥ）メッセージにダウンリンク共有チャンネルＴＦＣＩ電力制御識別子（ＰＣ  Ｉｎｄｉｃａｔｏｒ）という制御情報が加えられることができる。ダウンリンク共有チャンネルＴＦＣＩ電力制御識別子がＯＮの場合は新たに設定するか再設定する無線リンクなどに対してダウンリンク共有チャンネルＴＦＣＩ電力制御が動作中なのを示して、ＯＦＦの場合は動作しないことを示す。
【０１０５】
以下で各実施例によってシグナリング方法に対して詳細に説明する。
【０１０６】
［第１実施例］
専用チャンネルがダウンリンク共有チャンネルを送る基地局が属した制御局から他の制御局にソフトハンドオーバーする場合にＴＦＣＩ２を送る物理的制御チャンネルなどのＴＦＣＩ電力オフセットを通知するシグナリングプロシージャに関する。
【０１０７】
その１番目の方法（Ｍｅｔｈｏｄ−１ａ）として、連関された専用チャンネルでのハンドオーバーが遂行される時、ＴＦＣＩ２値を送る物理的制御チャンネルなどに適用されるＴＦＣＩ電力オフセット値を運ぶために使用者平面で新しいフィールドを追加した形態の制御フレームを使うことができる。前記方法でハンドオーバーが終わってＲ９９／Ｒ４の一般的なＴＦＣＩ電力オフセット値がシグナリングになる場合に、該当のフィールドに一般的なＴＦＣＩ電力オフセット値が加えられて知ることができる。
【０１０８】
この方法には図８の従来に使われた無線インターフェイスパラメータアップデート制御フレームにＴＦＣＩ電力制御のためのフィールドなどを新たに追加して使う第１の方法と、ダウンリンク共有チャンネルハードスプリットモードに対してＴＦＣＩ電力制御用制御フレームを新たに作る第２の方法がある。この時、要求される情報では一般的に専用チャンネルのために適用されるＴＦＣＩ電力オフセットと、連関された専用チャンネルのソフトハンドオーバー時にＴＦＣＩ２を送る物理的制御チャンネルなどに適用されるＴＦＣＩ電力オフセットなどがある。このように、加えられる電力オフセット値はハンドオーバーによる無線リンク構成の変化によって、アクティブセットに属したリンクの個数が変わるとかＴＦＣＩ２を送るリンクの個数が変わる場合、また計算されて提示した方法によって更新されることができる。前記方法でハンドオーバーが終わってＲ９９／Ｒ４の一般的なＴＦＣＩ電力オフセット値が使われる場合には該当のフィールドに一般的なＴＦＣＩ電力オフセット値が加えられて知ることができる。以下、各方法に対して具体的に説明する。
【０１０９】
第１の方法によれば、図１２は従来（図８）に存在する無線インターフェイスパラメータアップデート制御フレームの変形されたフォーマットで、このフォーマットで無線インターフェイスパラメータアップデートフラグフィールドはＴＦＣＩ電力オフセット（ＴＦＣＩＰＯ）値が入っているかどうかを表示する。前記第１の方法でハンドオーバーが終わってＲ９９／Ｒ４の一般的なＴＦＣＩ電力オフセット値が使われなければならない場合には該当のフィールドに一般的なＴＦＣＩ電力オフセット値が加えられて知ることができる。
【０１１０】
第２の方法によれば、図１３はダウンリンク共有チャンネルハードスプリットモードでのＴＦＣＩ電力オフセット値を知らせるために新たに生成された制御フレームのフォーマットである。この新しい制御フレームを使ってダウンリンク共有チャンネルハードスプリットモードでのＴＦＣＩ電力オフセット値を知らせることができる。
【０１１１】
このような図１２及び図１３のＴＦＣＩ電力オフセット値を入れるフィールド長さは７ビットだが最大８ビットなことがある。図１２及び図１３での７ビットＴＦＣＩ電力オフセットを使う場合に０．２５ｄＢ  ずつオフセットを変化させることができるのでオフセットの範囲が０−３１．７５ｄＢまで可能である。
【０１１２】
図１２の無線インターフェイスパラメータアップデート制御フレームフォーマットは２バイトの無線インターフェイスパラメータアップデートフラグフィールド、１バイトのＣＦＮフィールド、１バイトにＴＰＣ電力オフセット（ＰＯ）（５ビット）、ＤＰＣモード（１ビット）及びスペア（２ビット）情報フィールド、１バイトの中で７ビット以上を占めるＴＦＣＩ電力オフセット（ＴＦＣＩＰＯ）フィールドを含むフォーマットで含み、５バイトのペイロードで構成される。また、図１３のＤＳＣＨ  ＴＦＣＩ電力制御の制御フレームフォーマットは１バイトの増強されたＤＳＣＨ  ＴＦＣＩ電力制御フラグフィールドと、１バイトの中で最小限７ビット以上を占めるＴＦＣＩ電力オフセット（ＴＦＣＩＰＯ）フィールドを含み、これは２バイトのペイロードで構成される。
【０１１３】
前記第１実施例による方法に関するシグナリングプロシージャを従来技術のシグナリングプロシージャと比べるために、図９ａ乃至図９ｄと一緒に移動局（ＵＥ）の移動によってダウンリンク共有チャンネルに連関された専用チャンネルのソフトハンドオーバーとダウンリンク共有チャンネルのハードハンドオーバーが発生する場合を例として説明する。
【０１１４】
先に、第１の方法を利用する場合のシグナリングプロシージャは図１４ａ乃至図１４ｄに示す。図１４ａ乃至図１４ｄで無線リンクが加えられるとか削除されてアクティブセットに変化が生ずる場合またはＴＦＣＩ２を送る無線リンクの個数が変更された場合、使用者平面で使われる制御フレームの使用形態は（図１２参照）して、適切なＴＦＣＩ電力オフセットを知らせることができる。図１４ａ乃至図１４ｄは図９ａ乃至図９ｄの各場合に対応するプロシージャとして、図１４ａでサービング制御局と基地局との間に無線リンクセットアップ過程を遂行されて、図１４ｂで各制御局は無線リンクセットアップ段階後、サービング制御局は管轄基地局及び目的地制御局に、目的地制御局は管轄基地局に各々無線インターフェイスパラメータアップデートメッセージという制御フレームにＴＦＣＩ電力オフセット（ＴＦＣＩＰＯ）値を包含させて送ることができる。図１４ｃでサービング制御局は管轄基地局及び目的地制御局に、及び目的地制御局は管轄基地局に前記無線インターフェイスパラメータアップデートメッセージに電力オフセット制御情報（ＴＦＣＩＰＯ）を包含させて送る。図１４ｄでサービング制御局は目的地制御局に、及び目的地制御局は管轄基地局に電力オフセット制御情報（ＴＦＣＩＰＯ）を含んだ無線インターフェイスパラメータアップデート情報及び電力を送る。
【０１１５】
また、第２の方法を利用する場合のシグナリングプロシージャは図１５ａ乃至図１５ｄに示す。図１５ａ乃至図１５ｄは、図１４ａ乃至図１４ｄと非常に似ていて、図１４ｂ乃至図１４ｄで使われた「無線インターフェイスパラメータアップデートという制御フレーム」代理してＴＦＣＩ電力制御のみのための新しい制御フレームである「ＤＳＣＨ  ＴＦＣＩ電力制御」（形態は図１３参照）を利用することができる。
【０１１６】
一方、２番目の方法（Ｍｅｔｈｏｄ−１ｂ）は制御平面でＴＦＣＩ電力制御のためにＮＢＡＰ及びＲＮＳＡＰで使われるメッセージなどに連関された専用チャンネルのソフトハンドオーバー時に、ＴＦＣＩ２値を送る物理的制御チャンネルなどに適用されるＴＦＣＩ電力オフセット値に対する追加的なパラメータを入れる。前記２番目の方法を使う場合のシグナリングプロシージャは図１６ａ乃至図１６ｄに示す。図１６ａ乃至図１６ｄに示したように、最初に無線リンクをセットアップする時にＴＦＣＩ電力オフセットを知らせてその後には知らせないのではなく、無線リンクの状況によってＮＢＡＰやＲＮＳＡＰの無線リンク再設定準備、無線リンク再設定完了、無線リンク再設定命令メッセージ内部に、連関された専用チャンネルのソフトハンドオーバー時にＴＦＣＩ２値を送る物理的制御チャンネルなどに適用されるＴＦＣＩ電力オフセット値（ＴＦＣＩＰＯ１）を入れて知らせる方法である。前記２番目の方法でハンドオーバーが終わってＲ９９／Ｒ４の一般的なＴＦＣＩ電力オフセット値が使われる場合には該当のフィールドに一般的なＴＦＣＩ電力オフセット値を加えて知らせることができる。
【０１１７】
［第２実施例］
ハンドオーバー時にＴＦＣＩ２を送るすべての物理的制御チャンネルのＴＦＣＩ電力オフセットをアップリンクＳＳＤＴシグナリング情報に合わせて主セルまたは主ではないセルによって各々異なるように通知するシグナリングプロシージャに関する。
【０１１８】
第２実施例によるシグナリングプロシージャを説明する前に、これと係わる状況は図１７ａ乃至図１７ｅに示す。図１７ａ乃至図１７ｅは移動局が新しい制御局に移動する場合にダウンリンク共有チャンネルのハードハンドオーバーまたは連関された専用チャンネルのソフトハンドオーバーによって各基地局と移動局の間のチャンネル連結状態を示す第１例示図である。すなわち、図１７ａはダウンリンク共有チャンネル及び連関された専用チャンネルのソフトハンドオーバー発生の前の状況で、図１７ｂはダウンリンク共有チャンネルに連関された専用チャンネルの制御局の間にソフトハンドオーバー発生及びダウンリンク共有チャンネルのハードハンドオーバー発生前の状況で、図１７ｃはダウンリンク共有チャンネルの制御局の間にハードハンドオーバー発生及び専用チャンネルの制御局の間にソフトハンドオーバー発生状況で、図１７ｄはダウンリンク共有チャンネルの制御局の間ハードハンドオーバー発生状況で、図１７ｅはダウンリンク共有チャンネルと連関された専用チャンネルのソフトハンドオーバー終了状況である。
【０１１９】
図１８ａ及び図１８ｂは、図１７ａ乃至図１７ｃの状況で従来技術を使う場合のシグナリングプロシージャである。図１８ａ及び図１８ｂではＳＳＤＴを支援する装備などを使っても、連関された専用チャンネルのソフトハンドオーバー時にＴＦＣＩ２値を送る物理的制御チャンネルなどの中で主セルに属する物理的制御チャンネルや、ＴＦＣＩ２値を送る物理的制御チャンネルなどの中で主ではないセルに属する物理的制御チャンネルに対して、他のＴＦＣＩ電力オフセットを割り当てるシグナリングが存在しなかった。図１８ａ乃至図１８ｂでＴＦＣＩ電力オフセット情報は無線リンクが新たにセットアップされる時にだけ伝逹するので、図１７ａ及び図１７ｃの場合にだけ伝逹される。したがって従来のプロシージャとしては移動局の移動やＴＦＣＩ２を送る無線リンクなどの個数によって適切なＴＦＣＩ電力オフセット値を設定することができない。
【０１２０】
１番目の方法［Ｍｅｔｈｏｄ−２ａ］としては使用者平面でＴＦＣＩ電力制御のために連関された専用チャンネルのソフトハンドオーバー時にＴＦＣＩ２値を送る物理的制御チャンネルなどの中で主セルに属する物理的制御チャンネルに適用されるＴＦＣＩ電力オフセット値と、連関された専用チャンネルのソフトハンドオーバー時にＴＦＣＩ２値を送る物理的制御チャンネルなどの中で主ではないセルに属する物理的制御チャンネルに適用されるＴＦＣＩ電力オフセット値に対する情報を入れる新しいフィールドを追加した形態の制御フレームを使った。
【０１２１】
前記１番目の方法は第１実施例の第１の方法と似ている。しかし、加えられる制御情報などが第１実施例の第１の方法と違って実際にこのような情報などが要求される状況が違うので。それによるプロシージャの作動や制御フレームのフォーマットやはり変わる。従来の図７で使われた無線インターフェイスパラメータアップデート制御フレームにＴＦＣＩ電力制御のためのフィールドなどを新たに追加して使う第１の方法またはダウンリンク共有チャンネルハードスプリットモードに対してＴＦＣＩ電力制御用制御フレームを新たに作る第２の方法がある。この時、要求される情報などでは連関された専用チャンネルのソフトハンドオーバー時にＴＦＣＩ２値を送る物理的制御チャンネルなどの中で主セルに属する物理的制御チャンネルに適用されるＴＦＣＩ電力オフセット（ＴＦＣＩＰＯ＿ｐｒｉｍａｒｙ）値と、連関された専用チャンネルのソフトハンドオーバーの時にＴＦＣＩ２値を送る物理的制御チャンネルの中で主ではないセルに属する物理的制御チャンネルに適用されるＴＦＣＩ電力オフセット（ＴＦＣＩＰＯ＿ｎｏｎ＿ｐｒｉｍａｒｙ）値がある。このような値などはハンドオーバーによるリンクの変化に従って各々お互いに違う状況で使われる。すなわち、アクティブセットに属したリンクの個数が変わるとかＴＦＣＩ２を送るリンクの個数が変わる場合、また計算されて提示した方法によって更新される。各方法に対して具体的に説明する。
【０１２２】
第１の方法で図１９は従来に存在する無線インターフェイスパラメータアップデート制御フレームの変形されたフォーマットとして、このフォーマットで無線インターフェイスパラメータアップデートフラグの３番目ビットは５番目バイトにＴＦＣＩＰＯ値が入っているかどうかを、４番目ビットは６番目バイトにＴＦＣＩＰＯ＿ｐｒｉｍａｒｙが入っているかどうかを、及び５番目ビットは７番目バイトにＴＦＣＩＰＯ＿ｎｏｎ＿ｐｒｉｍａｒｙが入っているかどうかを表示することができる。
【０１２３】
第２の方法で図２０はダウンリンク共有チャンネルハードスプリットモードでのＴＦＣＩ電力オフセット値を知らせるために新たに作った制御フレームのフォーマットである。この新しい制御フレームを使ってダウンリンク共有チャンネルハードスプリットモードでのＴＦＣＩ電力オフセット値を知らせることができる。図２０の制御フレームフォーマットは１バイトのＤＳＣＨ  ＴＦＣＩ電力制御フラグフィールド、１バイトの中で最小限７ビット以上の連関された専用チャンネルのソフトハンドオーバー時にＴＦＣＩ２値を送る物理的制御チャンネルなどの中で主セルに属する物理的制御チャンネルに適用されるＴＦＣＩ電力オフセット（ＴＦＣＩＰＯ＿ｐｒｉｍａｒｙ）フィールド、連関された専用チャンネルのソフトハンドオーバー時にＴＦＣＩ２値を送る物理的制御チャンネルの中で主ではないセルに属する物理的制御チャンネルに適用されるＴＦＣＩ電力オフセット（ＴＦＣＩＰＯ＿ｎｏｎ＿ｐｒｉｍａｒｙ）フィールドを含んで、４バイトのペイロードで構成されることができる。
このような図１９及び図２０のＴＦＣＩ電力オフセット値を入れるフィールド長さは７ビットになるが最大８ビットになることがある。図１２での７ビットＴＦＣＩ電力オフセットを使う場合に０．２５ｄＢずつオフセットを変化させることができるのでオフセットの範囲が０−３１．７５ｄＢまで可能である。
【０１２４】
第１の方法を利用する場合に図１７ａ乃至図１７ｅのような状況でのシグナリングプロシージャは図２１ａ乃至図２１ｅに示す。図１８ａ乃至図１８ｅではＴＦＣＩに対する電力オフセットが移動局の移動やＴＦＣＩ２を送る無線リンクなどの個数の変動に構わなく、常に無線リンクを初めてセットアップする時、制御平面のＮＢＡＰ及びＲＮＳＡＰメッセージで知らせてくれたＴＦＣＩ電力オフセットを使うことができる。また、ＴＦＣＩ電力オフセットを制御局と基地局の間または制御局の間に伝逹するために制御平面でのＮＢＡＰ及びＲＮＳＡＰメッセージのみを使うことができる。すなわち、使用者平面の制御フレームでＴＦＣＩ電力オフセットを知らせる方法は存在しなかった。しかし、図２１ｂ乃至図２１ｅで無線リンクが加えられるとか削除されてアクティブセットに変化が生ずる場合またはＴＦＣＩ２を送る無線リンクの個数が変更された場合、使用者平面で使われる制御フレームを使用（形態は図１９参照）して適切なＴＦＣＩ電力オフセットを知らせることができる。
【０１２５】
第２の方法を利用する場合に図１７ａ乃至図１７ｅのような状況でのシグナリングプロシージャは図２２ａ乃至図２２ｅに示す。図２１ａ乃至図２１ｅで使った「無線インターフェイスパラメータアップデート」という制御フレームを代理してＴＦＣＩ電力制御のみのための新しい制御フレームである「ＤＳＣＨ  ＴＦＣＩ電力制御」（形態は図２０参照）を送ることができる。
【０１２６】
２番目の方法［Ｍｅｔｈｏｄ−２ｂ］としては制御平面でＴＦＣＩ電力制御のためにＮＢＡＰ及びＲＮＳＡＰで使われるメッセージなどに連関された専用チャンネルのソフトハンドオーバー時にＴＦＣＩ２値を送る物理的制御チャンネルなどの中で主セルに属する物理的制御チャンネルに適用されるＴＦＣＩ電力オフセット値と、連関された専用チャンネルのソフトハンドオーバー時にＴＦＣＩ２値を送る物理的制御チャンネルの中で主ではないセルに属する物理的制御チャンネルに適用されるＴＦＣＩ電力オフセット値に対する追加的なパラメータを入れる。前記方法でハンドオーバーが終わってＲ９９／Ｒ４の一般的なＴＦＣＩ電力オフセット値が使われる場合には該当のフィールドに一般的なＴＦＣＩ電力オフセット値を加えて知らせることができる。
【０１２７】
図２３ａ乃至図２３ｅは図１７ａ乃至図１７ｅのような状況において第２実施例を支援するために第２の方法を使ってＴＦＣＩ電力オフセットを調整するシグナリングプロシージャである。図面に示したように、最初の無線リンクをセットアップする時ＴＦＣＩ電力オフセットを知らせてその後には知らせないのではなく状況によってＮＢＡＰやＲＮＳＡＰの無線リンク再設定準備、無線リンク再設定完了、無線リンク再設定命令メッセージ内部に連関された専用チャンネルのソフトハンドオーバー時にＴＦＣＩ２値を送る物理的制御チャンネルなどの中で主セルに属する物理的制御チャンネルのＴＦＣＩ電力オフセット（ＴＦＣＩＰＯ＿ｐｒｉｍａｒｙ）、ＴＦＣＩ２値を送る物理的制御チャンネルなどの中で主ではないセルに属する物理的制御チャンネルに対するＴＦＣＩ電力オフセット（ＴＦＣＩＰＯ＿ｎｏｎ＿ｐｒｉｍａｒｙ）を入れて知らせる方法である。前記第２の方法でハンドオーバーが終わってＲ９９／Ｒ４の一般的なＴＦＣＩ電力オフセット値が使われる場合には、該当のフィールドに一般的なＴＦＣＩ電力オフセット値を加えて知らせることができる。
【０１２８】
［第３実施例］
ハンドオーバー時にアップリンクＳＳＤＴシグナリング情報に合わせてダウンリンク共有チャンネルを送るセルの物理的制御チャンネルなどのＴＦＣＩ電力オフセットを主セルまたは主ではないセルによって各々異なるように通知するシグナリングプロシージャに関する。図１８ａ及び図１８ｂではＳＳＤＴを支援する装備などを使ってもダウンリンク共有チャンネルを送る基地局が主セルである場合と主ではないセルである場合に対して、他のＴＦＣＩ電力オフセットを割り当てるシグナリングが存在しなかった。従来の電力制御技法が使われる時、図１８ａ及び図１８ｂでＴＦＣＩ電力オフセット情報は無線リンクが新たにセットアップされる時にだけ伝逹するので、図１７ａ及び図１７ｃの場合にだけ伝逹することができる。したがって従来のプロシージャとしては無線リンク状況の変化に従って主基地局から主ではない基地局に変更時に適切なＴＦＣＩ電力オフセット値を設定することができない。
【０１２９】
１番目の方法（Ｍｅｔｈｏｄ−３ａ）としては使用者平面でＴＦＣＩ電力制御のために連関された専用チャンネルのソフトハンドオーバー時にＴＦＣＩ２値を送るセルの物理的制御チャンネルなどの中でダウンリンク共有チャンネルを送るセルが主セルである場合に適用されるＴＦＣＩ電力オフセット値と、連関された専用チャンネルのソフトハンドオーバー時にＴＦＣＩ２値を送るセルの物理的制御チャンネルなどの中でダウンリンク共有チャンネルを送らないセルと、ＴＦＣＩ２値を送るセルの物理的制御チャンネルなどの中でダウンリンク共有チャンネルを送るセルが主ではないセルである場合に適用されるＴＦＣＩ電力オフセット値に対する情報を入れる新しいフィールドを追加した形態の制御フレームを使うようになる。１番目の方法は第２実施例の第１の方法と似ている。しかし、加えられる制御情報などが第２実施例の第１の方法と違って実際にこのような情報などが要求される状況が違うのでそれによるプロシージャの作動や制御フレームのフォーマットやはり変わることができる。
【０１３０】
従来の図７で使われた無線インターフェイスパラメータアップデート制御フレームにＴＦＣＩ電力制御のためのフィールドなどを新たに追加して使う第１の方法またはダウンリンク共有チャンネルハードスプリットモードに対してＴＦＣＩ電力制御用制御フレームを新たに生成する第２の方法がある。この時、要求される情報などでは連関された専用チャンネルのソフトハンドオーバー時にＴＦＣＩ２値を送るセルの物理的制御チャンネルなどの中でダウンリンク共有チャンネルを送るセルが主セルである場合に適用されるＴＦＣＩ電力オフセット（ＴＦＣＩＰＯ＿ｐｒｉｍａｒｙ）値と、連関された専用チャンネルのソフトハンドオーバー時にＴＦＣＩ２  値を送るセルの物理的制御チャンネルなどの中でダウンリンク共有チャンネルを送らないセルと、ＴＦＣＩ２値を送るセルの物理的制御チャンネルなどの中でダウンリンク共有チャンネルを送るセルが主ではないセルである場合に適用されるＴＦＣＩ電力オフセット（ＴＦＣＩＰＯ＿ｎｏｎ＿ｐｒｉｍａｒｙ）値がある。このような値などはハンドオーバーによるリンクの変化に従って各々お互いに違う状況で使われる。すなわちアクティブセットに属したリンクの個数が変わるとかＴＦＣＩ２を送るリンクの個数が変わる場合、また計算されて提示した方法によって更新されることができる。
前記第３実施例でハンドオーバーが終わって一般的なＴＦＣＩ電力オフセット値が使われる場合には該当のフィールドに一般的なＴＦＣＩ電力オフセット値を加えて知らせることができる。各方法に対して具体的によく説明する。
【０１３１】
第１の方法で図２４は従来に存在する無線インターフェイスパラメータアップデート制御フレームの変形されたフォーマットである。このフォーマットで無線インターフェイスパラメータアップデートフラグの３番目ビットは５番目バイトにＴＦＣＩＰＯ１値が入っているかどうかを、及び４番目ビットは６番目バイトにＴＦＣＩＰＯ＿ｐｒｉｍａｒｙが入っているかどうかを示す。
【０１３２】
図２４によれば、前記制御フレームフォーマットは２バイトの無線インターフェイスパラメータアップデートフラグフィールド、１バイトのＣＦＮ情報フィールド、１バイトのＴＰＣ電力オフセット及びＤＰＣモードフィールド、最小限７ビット以上のＴＦＣＩＰＯフィールドと、最小限７ビット以上のＴＦＣＩＰＯ＿ｐｒｉｍａｒｙフィールドを含んで構成されて、６バイトのペイロードで構成される。ここで、連関された専用チャンネルのソフトハンドオーバー時にＴＦＣＩ２値を送る物理的制御チャンネルなどの中で主ではないセルに属する物理的制御チャンネルに適用されるＴＦＣＩ電力オフセット値は想起したＴＦＣＩＰＯフィールド値が適用されることができる。
【０１３３】
第２の方法で図２５はダウンリンク共有チャンネルハードスプリットモードでのＴＦＣＩ電力オフセット値を知らせるために新たに作った制御フレームのフォーマットである。この新しい制御フレームを使ってダウンリンク共有チャンネルハードスプリットモードでのＴＦＣＩ電力オフセット値を知らせることができる。
【０１３４】
図２５によれば、制御フレームフォーマットは１バイトのＤＳＣＨ  ＴＦＣＩ電力制御フラグフィールド、最小限７ビット以上のＴＦＣＩＰＯフィールドと、最小限７ビット以上のＴＦＣＩＰＯ＿ｐｒｉｍａｒｙフィールドを含み、３バイトのペイロードで構成される。
【０１３５】
このような図２４及び図２５のＴＦＣＩ電力オフセット値を入れるフィールド長さは７ビットだが最大８ビットであることがある。図１２での７ビットＴＦＣＩ電力オフセットを使う場合に０．２５ｄＢずつオフセットを変化させることができるのでオフセットの範囲が０−３１．７５ｄＢまで可能である。
【０１３６】
第１の方法を使う場合に図１７ａ乃至図１７ｅのような状況でのシグナリングプロシージャは、図２６ａ乃至図２６ｅのようである。図１８ａ乃至図１８ｅではＴＦＣＩに対する電力オフセットが移動局の移動やＴＦＣＩ２を送る無線リンクなどの個数の変動にかかわらず常に無線リンクを初めてセットアップする時制御平面のＮＢＡＰ及びＲＮＳＡＰメッセージで知らせてくれたＴＦＣＩ電力オフセットを使うことができる。また、ＴＦＣＩ電力オフセットを制御局と基地局との間または制御局の間に伝逹するために制御平面でのＮＢＡＰ及びＲＮＳＡＰメッセージのみを使うことができる。すなわち、使用者平面の制御フレームでＴＦＣＩ電力オフセットを知らせる方法は存在しなかった。しかし、図２６ａ乃至図２６ｅで無線リンクが加えられるとか削除されてアクティブセットに変化が生ずる場合またはＴＦＣＩ２を送る無線リンクの個数が変更された場合、使用者平面で使われる制御フレームを使用（形態は図２４参照）して、適切なＴＦＣＩ電力オフセットを知らせることができる。
【０１３７】
第２の方法を使う場合に図１７ａ乃至図１７ｅのような状況でのシグナリングプロシージャは図２７ａ乃至図２７ｅに示した。図２６ａ乃至図２６ｄで使われた「無線インターフェイスパラメータアップデート」という制御フレーム代理してＴＦＣＩ電力制御のみのための新しい制御フレームである「ＤＳＣＨ  ＴＦＣＩ電力制御」（形態は図２５参照）を送ることができる。
【０１３８】
２番目の方法（Ｍｅｔｈｏｄ−３ｂ）としては制御平面でＲ９９／Ｒ４のＴＦＣＩ電力制御のためにＮＢＡＰ及びＲＮＳＡＰで使われるメッセージなどに一般的なＴＦＣＩ電力オフセット値と連関された専用チャンネルのソフトハンドオーバーの時にＴＦＣＩ２を送るセルの物理的制御チャンネルなどの中でダウンリンク共有チャンネルを送るセルに適用されるＴＦＣＩ電力オフセット値（セルが主または主ではない場合によって他の値）と、連関された専用チャンネルのソフトハンドオーバー時にＴＦＣＩ２値を送るセルの物理的制御チャンネルなどの中でダウンリンク共有チャンネルを送らないセルに適用されるＴＦＣＩ電力オフセット値に対する追加的なパラメータを入れるようになる。
【０１３９】
図２８は図１７ａ乃至図１７ｅのような状況において２番目の方法での第２の方法を支援するためのＴＦＣＩ電力オフセットを調整するシグナリングプロシージャである。図面に示したように、一番無線リンクをセットアップする時ＴＦＣＩ電力オフセットを知らせてその後には知らせないのではなく状況によってＮＢＡＰやＲＮＳＡＰの無線リンク再設定準備、無線リンク再設定完了、無線リンク再設定命令メッセージ内部に一般的に専用チャンネルのために適用されるＴＦＣＩ電力オフセット値（ＴＦＣＩＰＯ１）と、連関された専用チャンネルのソフトハンドオーバー時にＴＦＣＩ２値を送るセルの物理的制御チャンネルなどの中でダウンリンク共有チャンネルを送るセルが主セルである場合に適用されるＴＦＣＩ電力オフセット値（ＴＦＣＩＰＯ＿ｐｒｉｍａｒｙ）と、連関された専用チャンネルのソフトハンドオーバー時にＴＦＣＩ２値を送るがダウンリンク共有チャンネルを送らない基地局とＴＦＣＩ２値を送るセルの物理的制御チャンネルなどの中でダウンリンク共有チャンネルを送るセルが主ではないセルである場合の基地局などが送る物理的制御チャンネルのＴＦＣＩ電力オフセット値（ＴＦＣＩＰＯ＿ｎｏｎ＿ｐｒｉｍａｒｙ）を入れて知らせる方法である。
【０１４０】
一方、使用者平面で第１実施例及び第２実施例で要するパラメータなどをいっぺんに一つのフレームフォーマット内部に入れて送ることも可能である（第４実施例）。第４実施例として、第１及び第２実施例に使われたパラメータなどを使用者平面で一つのフレームフォーマットで入れる方法がある。この場合に使われるフレームフォーマットは図２９及び図３０に示す。図２９のようなフレームを使う場合には第１実施例の１番目の方法（Ｍｅｔｈｏｄ−１ａ）の第１の方法のためのプロシージャ及び第２実施例の１番目の方法（Ｍｅｔｈｏｄ−２ａ）のためのプロシージャで、無線インターフェイスパラメータアップデート制御フレームを送る場合両方に対して送ることができる。そして、図３０の同じく新しいフレームを使う場合には第１実施例の１番目の方法（Ｍｅｔｈｏｄ−１ａ）の第２の方法のためのプロシージャ及び第２実施例の１番目の方法（Ｍｅｔｈｏｄ−２ａ）の第２の方法のためのプロシージャで、ＤＳＣＨ  ＴＦＣＩ電力制御の制御フレームを送る場合両方に対して送ることができる。
【０１４１】
図２９によれば、制御フレームフォーマットは２バイトの無線インターフェイスパラメータアップデートフラグフィールド、１バイトのＣＦＮ情報フィールド、１バイトのＴＰＣ電力オフセット及びＤＰＣモードフィールド、１バイトの中で最小限７ビット以上の連関された専用チャンネルのソフトハンドオーバー時にＴＦＣＩ２値を送る物理的制御チャンネルなどに適用されるＴＦＣＩ電力オフセット（ＴＦＣＩＰＯ）フィールド、連関された専用チャンネルのソフトハンドオーバーの時にＴＦＣＩ２値を送る物理的制御チャンネルなどの中で主セルに属する物理的制御チャンネルに適用されるＴＦＣＩ電力オフセット（ＴＦＣＩＰＯ＿ｐｒｉｍａｒｙ）フィールド、連関された専用チャンネルのソフトハンドオーバーの時にＴＦＣＩ２値を送る物理的制御チャンネルなどの中で主ではないセルに属する物理的制御チャンネルに適用されるＴＦＣＩ電力オフセット（ＴＦＣＩＰＯ＿ｎｏｎ＿ｐｒｉｍａｒｙ）フィールドを含んで、７バイトのペイロードで構成される。
【０１４２】
図３０によれば、制御フレームフォーマットはＤＳＣＨ  ＴＦＣＩ電力制御フラグ、１バイトの中で最小限７ビット以上の連関された専用チャンネルのソフトハンドオーバー時にＴＦＣＩ２値を送る物理的制御チャンネルなどに適用されるＴＦＣＩ電力オフセットフィールド（ＴＦＣＩＰＯ）、連関された専用チャンネルのソフトハンドオーバー時にＴＦＣＩ２値を送る物理的制御チャンネルなどの中で主セルに属する物理的制御チャンネルに適用されるＴＦＣＩ電力オフセット（ＴＦＣＩＰＯ＿ｐｒｉｍａｒｙ）フィールド、連関された専用チャンネルのソフトハンドオーバーの時にＴＦＣＩ２値を送る物理的制御チャンネルなどの中で主ではないセルに属する物理的制御チャンネルに適用されるＴＦＣＩ電力オフセット（ＴＦＣＩＰＯ＿ｎｏｎ＿ｐｒｉｍａｒｙ）を含み、４バイトのペイロードで構成される。また、使用者平面で第１実施例及び第３実施例で要するパラメータなどをいっぺんに一つのフレームフォーマット内部に入れて送ることも可能である。
【０１４３】
第６実施例によれば、前記第１及び第３実施例によるパラメータを使用者平面で一つのフレームフォーマットで入れる方法を考慮することもできる。この場合に使われるフレームフォーマットは図２４及び図２５に示す。図２４のようなフレームフォーマットを使う場合には第１実施例の１番目の方法（Ｍｅｔｈｏｄ−１ａ）の第１の方法のためのプロシージャ及び第３実施例の１番目の方法（Ｍｅｔｈｏｄ−３ａ）の第１の方法のためのプロシージャで、無線インターフェイスパラメータアップデート制御フレームを送る場合両方に対して送ることができる。そして、図２５と同じく新しいフレームを使う場合には第１実施例の１番目の方法（Ｍｅｔｈｏｄ−１ａ）の第２の方法のためのプロシージャ及び第３実施例の１番目の方法（Ｍｅｔｈｏｄ−３ａ）のためのプロシージャで、ＤＳＣＨ  ＴＦＣＩ電力制御の制御フレームを送る場合両方に対して送ることができる。この時、ＴＦＣＩＰＯは第１実施例の１番目の方法（Ｍｅｔｈｏｄ−１ａ）の第１の方法及び第３実施例の１番目の方法（Ｍｅｔｈｏｄ−３ａ）の第１の方法から両方とも共通に使われることができる。そして、実際パラメータの値は場合によって等しいかそうでなければ違ってもよい。
【０１４４】
以下で、本発明の他の実施例を説明する。連関された専用チャンネルのＴＦＣＩフィールドでダウンリンク共有チャンネルの電力の基準点を連関された専用チャンネルの物理的データチャンネル、パイルロットフィールド及びＴＰＣフィールドに変える。前記でＴＦＣＩフィールドはハードスプリットモード及びロジックスプリットモードで分けられて電力制御されるが、連関された専用チャンネルの物理的データチャンネルフィールド、パイルロットフィールド及びＴＰＣフィールドはハードスプリットモード及びロジックスプリットモードの仕分けが存在しないので電力制御方法が簡単なことがある。この時、ダウンリンク共有チャンネルと  ＴＦＣＩとをシグナリングする場合、ダウンリンク共有チャンネル電力オフセットとＴＦＣＩの電力オフセットとを他に設定しないで等しく設定してシグナリングすることができる。
【０１４５】
一方、ＴＦＣＩフィールドがハードスプリットモードである場合、  ダウンリンク共有チャンネルとＴＦＣＩに対して各々２個ずつの電力オフセットをシグナリングすることができる。このような場合、ＭＡＸ  （ＤＳＣＨＰＯ＿ｐｒｉｍａｒｙ、ＴＦＣＩＰＯ＿ｐｒｉｍａｒｙ）をｐｒｉｍａｒｙ＿ＭＡＸ＿ｐｏｗに定義して、ＭＡＸ（ＤＳＣＨＰＯ＿ｎｏｎ＿ｐｒｉｍａｒｙ、ＴＦＣＩＰＯ＿ｎｏｎ＿ｐｒｉｍａｒｙ）を  ｎｏｎ−ｐｒｉｍａｒｙ＿ＭＡＸ＿ｐｏｗで定義することができる。  ここで、ＭＡＸ（ＤＳＣＨＰＯ＿ｐｒｉｍａｒｙ、ＴＦＣＩＰＯ＿ｐｒｉｍａｒｙ）はＤＳＣＨＰＯ＿ｐｒｉｍａｒｙまたはＴＦＣＩＰＯ＿ｐｒｉｍａｒｙ中で  大きい値を意味して、ＭＡＸ（ＤＳＣＨＰＯ＿ｎｏｎ＿ｐｒｉｍａｒｙ、ＴＦＣＩＰＯ＿ｎｏｎ＿ｐｒｉｍａｒｙ）はＤＳＣＨＰＯ＿ｎｏｎ＿ｐｒｉｍａｒｙまたはＴＦＣＩＰＯ＿ｎｏｎ＿ｐｒｉｍａｒｙの中で大きい値を意味する。ＴＦＣＩＰＯ＿ｐｒｉｍａｒｙ及びＴＦＣＩＰＯ＿ｎｏｎ＿ｐｒｉｍａｒｙは主セルまたは主ではないセルでのＴＦＣＩ電力オフセットを各々示して、ＤＳＣＨＰＯ＿ｐｒｉｍａｒｙ及びＤＳＣＨＰＯ＿ｎｏｎ＿ｐｒｉｍａｒｙは主セルまたは主ではないセルでのダウンリンク共有チャンネルの電力オフセットを各々示す。
【０１４６】
よって、ハードスプリットモードである場合にはＴＦＣＩフィールドの電力オフセットでｐｒｉｍａｒｙ＿ＭＡＸ＿ｐｏｗ及びｎｏｎ−ｐｒｉｍａｒｙ＿ＭＡＸ＿ｐｏｗをシグナリングする。すなわち、電力オフセットフィールド内部の無線リンクセットアップメッセージ及び無線リンク再設定準備メッセージにｐｒｉｍａｒｙ＿ＭＡＸ＿ｐｏｗ及びｎｏｎ−ｐｒｉｍａｒｙ＿ＭＡＸ＿ｐｏｗ両方を包含させてシグナリングする。
【０１４７】
【発明の効果】
上述したように、本発明によれば、ダウンリンク共有チャンネル及び連関された専用チャンネルがソフトハンドオーバー状況にある場合、ダウンリンク共有チャンネルのためのＴＦＣＩフィールドを専用チャンネルと相異なるように電力制御を遂行することで、ダウンリンク共有チャンネルのためのＴＦＣＩの受信品質を高めることができる。
【０１４８】
本発明によれば、ダウンリンク共有チャンネルハードスプリットモードでのＴＦＣＩに対する電力制御のための情報を伝逹するための制御平面または使用者平面でのメッセージまたはフレームフォーマット及び各々によるプロシージャを定義することで、３ＧＰＰ非同期システム及び端末機でダウンリンク共有チャンネルハードスプリットモードでのＴＦＣＩに対する電力制御を遂行することができる。
【０１４９】
本発明によれば、制御メッセージ及びフレーム形態とプロシージャを使う場合、無線リンクが初めてセットアップになる時だけでなく移動局の移動やＴＦＣＩ２を送る無線リンクなどの個数の変化によって、適切にＴＦＣＩ電力オフセット値を設定してこの情報を知らせてくれることができる。  前記では本発明の望ましい実施例を通じて詳細に記述したが、その内容は前記実施例にだけ限定されない。また、前記技術分野において通常の知識を持った人は上記の請求範囲を脱しない範囲内で本発明を多様に変更するかまたは修正することができる。
【図面の簡単な説明】
【図１】  同一制御局内の基地局の間ソフトハンドオーバー時に無線接続網の構造。
【図２】  お互いに違う制御局の間ソフトハンドオーバー時に無線接続網の構造。
【図３】  ダウンリンク共有チャンネルの構成を示す図面。
【図４】  専用チャンネルの構成を示す図面。
【図５】  ＵＭＴＳ無線網制御平面プロトコルを示した図面。
【図６】  ＵＭＴＳ無線網使用者平面プロトコルを示した図面。
【図７】  ３ＧＰＰｌｕｒ／ｌｕｂインターフェイスで専用チャンネルのための使用者平面プロトコルで使われる制御フレームの種類を示した図面。
【図８】  従来の無線インターフェイスパラメータアップデート制御フレームフォーマット構成図。
【図９ａ】  移動局が新しい制御局に移動する場合にダウンリンク共有チャンネルのハードハンドオーバーまたは連関された専用チャンネルのソフトハンドオーバーによって各基地局と移動局とのチャンネル連結状態を示す第１例示図。
【図９ｂ】  移動局が新しい制御局に移動する場合にダウンリンク共有チャンネルのハードハンドオーバーまたは連関された専用チャンネルのソフトハンドオーバーによって各基地局と移動局とのチャンネル連結状態を示す第１例示図。
【図９ｃ】  移動局が新しい制御局に移動する場合にダウンリンク共有チャンネルのハードハンドオーバーまたは連関された専用チャンネルのソフトハンドオーバーによって各基地局と移動局とのチャンネル連結状態を示す第１例示図。
【図９ｄ】  移動局が新しい制御局に移動する場合にダウンリンク共有チャンネルのハードハンドオーバーまたは連関された専用チャンネルのソフトハンドオーバーによって各基地局と移動局とのチャンネル連結状態を示す第１例示図。
【図１０ａ】  図９ａ及び図９ｂと一緒に移動局の移動によって発生される連関された専用チャンネルのソフトハンドオーバーとダウンリンク共有チャンネルのハードハンドオーバー非発生の時従来のシグナリングプロシージャの流れ図。
【図１０ｂ】  図９ａ及び図９ｂと一緒に移動局の移動によって発生される連関された専用チャンネルのソフトハンドオーバーとダウンリンク共有チャンネルのハードハンドオーバー非発生の時従来のシグナリングプロシージャの流れ図。
【図１１】  物理的データチャンネルと物理的制御チャンネルのデータ構造を示す図面。
【図１２】  本発明による第１実施例において、無線インターフェイスパラメータアップデート制御フレームの変形されたフォーマット構成図。
【図１３】  本発明による第１実施例において、ダウンリンク共有チャンネルＴＦＣＩ電力制御のために新たに追加した制御フレームのフォーマット構成図。
【図１４ａ】  本発明による第１実施例の一つのシグナリングプロシージャ方法を説明するための流れ図。
【図１４ｂ】  本発明による第１実施例の一つのシグナリングプロシージャ方法を説明するための流れ図。
【図１４ｃ】  本発明による第１実施例の一つのシグナリングプロシージャ方法を説明するための流れ図。
【図１４ｄ】  本発明による第１実施例の一つのシグナリングプロシージャ方法を説明するための流れ図。
【図１５ａ】  本発明による第１実施例の他の一つのシグナリングプロシージャ方法を説明するための流れ図。
【図１５ｂ】  本発明による第１実施例の他の一つのシグナリングプロシージャ方法を説明するための流れ図。
【図１５ｃ】  本発明による第１実施例の他の一つのシグナリングプロシージャ方法を説明するための流れ図。
【図１５ｄ】  本発明による第１実施例の他の一つのシグナリングプロシージャ方法を説明するための流れ図。
【図１６ａ】  本発明による第１実施例のまた他の一つのシグナリングプロシージャ方法を説明するための流れ図。
【図１６ｂ】  本発明による第１実施例のまた他の一つのシグナリングプロシージャ方法を説明するための流れ図。
【図１６ｃ】  本発明による第１実施例のまた他の一つのシグナリングプロシージャ方法を説明するための流れ図。
【図１６ｄ】  本発明による第１実施例のまた他の一つのシグナリングプロシージャ方法を説明するための流れ図。
【図１７ａ】  本発明において、移動局の移動によるダウンリンク共有チャンネルに連関された専用チャンネルのソフトハンドオーバーとダウンリンク共有チャンネルのハードハンドオーバーを示した第２例示図。
【図１７ｂ】  本発明において、移動局の移動によるダウンリンク共有チャンネルに連関された専用チャンネルのソフトハンドオーバーとダウンリンク共有チャンネルのハードハンドオーバーを示した第２例示図。
【図１７ｃ】本発明において、移動局の移動によるダウンリンク共有チャンネルに連関された専用チャンネルのソフトハンドオーバーとダウンリンク共有チャンネルのハードハンドオーバーを示した第２例示図。
【図１７ｄ】本発明において、移動局の移動によるダウンリンク共有チャンネルに連関された専用チャンネルのソフトハンドオーバーとダウンリンク共有チャンネルのハードハンドオーバーを示した第２例示図。
【図１７ｅ】本発明において、移動局の移動によるダウンリンク共有チャンネルに連関された専用チャンネルのソフトハンドオーバーとダウンリンク共有チャンネルのハードハンドオーバーを示した第２例示図。
【図１８ａ】図９ａ乃至図９ｄの状況で従来のシグナリングプロシージャを示した流れ図。
【図１８ｂ】図９ａ乃至図９ｄの状況で従来のシグナリングプロシージャを示した流れ図。
【図１９】本発明による第２実施例において、無線インターフェイスパラメータアップデート制御フレームの変形されたフォーマット構成図。
【図２０】本発明による第２実施例において、ダウンリンク共有チャンネル  ＴＦＣＩ電力制御のために新たに追加した制御フレームのフォーマット構成図。
【図２１ａ】本発明による第２実施例の一つのシグナリングプロシージャ方法を説明するための流れ図。
【図２１ｂ】本発明による第２実施例の一つのシグナリングプロシージャ方法を説明するための流れ図。
【図２１ｃ】本発明による第２実施例の一つのシグナリングプロシージャ方法を説明するための流れ図。
【図２１ｄ】本発明による第２実施例の一つのシグナリングプロシージャ方法を説明するための流れ図。
【図２１ｅ】本発明による第２実施例の一つのシグナリングプロシージャ方法を説明するための流れ図。
【図２２ａ】本発明による第２実施例の他の一つのシグナリングプロシージャ方法を説明するための流れ図。
【図２２ｂ】本発明による第２実施例の他の一つのシグナリングプロシージャ方法を説明するための流れ図。
【図２２ｃ】本発明による第２実施例の他の一つのシグナリングプロシージャ方法を説明するための流れ図。
【図２２ｄ】本発明による第２実施例の他の一つのシグナリングプロシージャ方法を説明するための流れ図。
【図２２ｅ】本発明による第２実施例の他の一つのシグナリングプロシージャ方法を説明するための流れ図。
【図２３ａ】本発明による第２実施例のまた他の一つのシグナリングプロシージャ方法を説明するための流れ図。
【図２３ｂ】本発明による第２実施例のまた他の一つのシグナリングプロシージャ方法を説明するための流れ図。
【図２３ｃ】  本発明による第２実施例のまた他の一つのシグナリングプロシージャ方法を説明するための流れ図。
【図２３ｄ】  本発明による第２実施例のまた他の一つのシグナリングプロシージャ方法を説明するための流れ図。
【図２３ｅ】  本発明による第２実施例のまた他の一つのシグナリングプロシージャ方法を説明するための流れ図。
【図２４】  本発明第３実施例のための無線インターフェイスパラメータアップデートの制御フレームのフォーマット構成図。
【図２５】  本発明第３実施例において、ダウンリンク共有チャンネルＴＦＣＩ電力制御のために新たに追加した制御フレームのフォーマット構成図。
【図２６ａ】  本発明による第３実施例の一つのシグナリングプロシージャ方法を説明するための流れ図。
【図２６ｂ】  本発明による第３実施例の一つのシグナリングプロシージャ方法を説明するための流れ図。
【図２６ｃ】  本発明による第３実施例の一つのシグナリングプロシージャ方法を説明するための流れ図。
【図２６ｄ】  本発明による第３実施例の一つのシグナリングプロシージャ方法を説明するための流れ図。
【図２６ｅ】  本発明による第３実施例の一つのシグナリングプロシージャ方法を説明するための流れ図。
【図２７ａ】  本発明による第３実施例の他の一つのシグナリングプロシージャ方法を説明するための流れ図。
【図２７ｂ】  本発明による第３実施例の他の一つのシグナリングプロシージャ方法を説明するための流れ図。
【図２７ｃ】  本発明による第３実施例の他の一つのシグナリングプロシージャ方法を説明するための流れ図。
【図２７ｄ】  本発明による第３実施例の他の一つのシグナリングプロシージャ方法を説明するための流れ図。
【図２７ｅ】  本発明による第３実施例の他の一つのシグナリングプロシージャ方法を説明するための流れ図。
【図２７ｅ】  本発明による第３実施例の他の一つのシグナリングプロシージャ方法を説明するための流れ図。
【図２８ａ】  本発明による第３実施例のまた他の一つのシグナリングプロシージャ方法を説明するための流れ図。
【図２８ｂ】本発明による第３実施例のまた他の一つのシグナリングプロシージャ方法を説明するための流れ図。
【図２８ｃ】本発明による第３実施例のまた他の一つのシグナリングプロシージャ方法を説明するための流れ図。
【図２８ｄ】本発明による第３実施例のまた他の一つのシグナリングプロシージャ方法を説明するための流れ図。
【図２８ｅ】本発明による第３実施例のまた他の一つのシグナリングプロシージャ方法を説明するための流れ図。
【図２９】本発明第１及び第２実施例のための無線リンクインターフェイスパラメータアップデート制御フレームの変形されたフォーマット構成図。
【図３０】本発明による第１及び第２実施例のために新たに追加した制御フレームのフォーマット構成図。
【符号の説明】
１０１  核心網
１０２  ＵＭＴＳ無線接続網
１０４  サービング無線網サーブシステム
１０６  サービング制御局
１０８  基地局
１０９  基地局
１１６  基地局
１１８  基地局
１１０  移動局
１１２  目的地無線網サーブシステム
１１４  目的地制御局
【図１】
0003971916.tif 000002
【図２】
0003971916.tif 000003
【図３】
0003971916.tif 000004
【図４】
0003971916.tif 000005
【図５】
0003971916.tif 000006
【図６】
0003971916.tif 000007
【図７】
0003971916.tif 000008
【図８】
0003971916.tif 000009
【図９ａ】
0003971916.tif 000010
【図９ｂ】
0003971916.tif 000011
【図９ｃ】
0003971916.tif 000012
【図９ｄ】
0003971916.tif 000013
【図１０ａ】
0003971916.tif 000014
【図１０ｂ】
0003971916.tif 000015
【図１１】
0003971916.tif 000016
【図１２】
0003971916.tif 000017
【図１３】
0003971916.tif 000018
【図１４ａ】
0003971916.tif 000019
【図１４ｂ】
0003971916.tif 000020
【図１４ｃ】
0003971916.tif 000021
【図１４ｄ】
0003971916.tif 000022
【図１５ａ】
0003971916.tif 000023
【図１５ｂ】
0003971916.tif 000024
【図１５ｃ】
0003971916.tif 000025
【図１５ｄ】
0003971916.tif 000026
【図１６ａ】
0003971916.tif 000027
【図１６ｂ】
0003971916.tif 000028
【図１６ｃ】
0003971916.tif 000029
【図１６ｄ】
0003971916.tif 000030
【図１７ａ】
0003971916.tif 000031
【図１７ｂ】
0003971916.tif 000032
【図１７ｃ】
0003971916.tif 000033
【図１７ｄ】
0003971916.tif 000034
【図１７ｅ】
0003971916.tif 000035
【図１８ａ】
0003971916.tif 000036
【図１８ｂ】
0003971916.tif 000037
【図１９】
0003971916.tif 000038
【図２０】
0003971916.tif 000039
【図２１ａ】
0003971916.tif 000040
【図２１ｂ】
0003971916.tif 000041
【図２１ｃ】
0003971916.tif 000042
【図２１ｄ】
0003971916.tif 000043
【図２１ｅ】
0003971916.tif 000044
【図２２ａ】
0003971916.tif 000045
【図２２ｂ】
0003971916.tif 000046
【図２２ｃ】
0003971916.tif 000047
【図２２ｄ】
0003971916.tif 000048
【図２２ｅ】
0003971916.tif 000049
【図２３ａ】
0003971916.tif 000050
【図２３ｂ】
0003971916.tif 000051
【図２３ｃ】
0003971916.tif 000052
【図２３ｄ】
0003971916.tif 000053
【図２３ｅ】
0003971916.tif 000054
【図２４】
0003971916.tif 000055
【図２５】
0003971916.tif 000056
【図２６ａ】
0003971916.tif 000057
【図２６ｂ】
0003971916.tif 000058
【図２６ｃ】
0003971916.tif 000059
【図２６ｄ】
0003971916.tif 000060
【図２６ｅ】
0003971916.tif 000061
【図２７ａ】
0003971916.tif 000062
【図２７ｂ】
0003971916.tif 000063
【図２７ｃ】
0003971916.tif 000064
【図２７ｄ】
0003971916.tif 000065
【図２７ｅ】
0003971916.tif 000066
【図２８ａ】
0003971916.tif 000067
【図２８ｂ】
0003971916.tif 000068
【図２８ｃ】
0003971916.tif 000069
【図２８ｄ】
0003971916.tif 000070
【図２８ｅ】
0003971916.tif 000071
【図２９】
0003971916.tif 000072
【図３０】
0003971916.tif 000073